(57)【要約】  無線通信システムにおいて時間の割り当てを送信するための様々な方法及び装置が開示される。  ある態様では、制御通信を受信及び送信するための時間の割り当てが決定される。  前記制御通信は、チャネル時間要求を供えることができる。
2013519308.tif 000002
【特許請求の範囲】
【請求項１】
通信の方法であって、
第１の装置によって、第２の装置に第１の競合自由時間期間を割り当てることと、
前記第１の装置によって、前記第１の競合自由時間期間中に、前記第２の装置から第１の制御通信を受信することと、を備え、
前記第１の制御通信はチャネル時間要求を備える、方法。
【請求項２】
前記第１の競合自由時間期間を割り当てる前に、前記第１の装置によって、前記第２の装置からビーム方向の指示を受信することをさらに備え、
前記第１の制御通信は、前記指示されたビーム方向で受信される、請求項１の方法。
【請求項３】
前記第１の制御通信が、ビーム方向の指示をさらに備える、請求項１の方法。
【請求項４】
前記第１の装置によって、前記第２の装置に第２の競合自由時間期間を割り当てることと、
前記第１の装置によって、前記第２の競合自由時間期間中に、前記指示されたビーム方向を用いて、前記第２の装置に対して第２の制御通信を送信することと、をさらに備え、
前記第２の制御通信はチャネル時間グラントを備える、請求項３の方法。
【請求項５】
前記指示されたビーム方向は、前記第２の装置に関して好ましいビーム方向である、請求項４の方法。
【請求項６】
前記指示されたビーム方向は、複数のビーム方向を備える、請求項４の方法。
【請求項７】
前記第２の制御通信は、少なくとも前記第２の装置に関する通信スケジュールをさらに備える、請求項４の方法。
【請求項８】
前記第１の装置によって、少なくとも前記第２の装置に対してビーコンを送信することをさらに備え、
前記ビーコンは前記第１の競合自由時間期間の指示を備える、請求項１の方法。
【請求項９】
前記第１の装置によって、少なくとも前記第２の装置に対してビーコンを送信することをさらに備え、前記ビーコンは前記第１の競合自由時間期間及び前記第２の競合自由時間期間の指示を備える、請求項４の方法。
【請求項１０】
前記第１の制御通信は、複数のビーム方向を経由して受信される、請求項１の方法。
【請求項１１】
前記第１の装置によって、第３の装置に第３の競合自由時間期間を割り当てることと、前記第１の装置によって、前記第３の競合自由時間期間中に、前記第３の装置から第３の制御通信を受信することと、をさらに備え、前記第３の制御通信はチャネル時間要求を備え、前記第１の競合自由時間期間及び前記第３の競合自由時間期間は重なる、請求項１の方法。
【請求項１２】
前記第１の装置によって、第３の装置に第３の競合自由時間期間を割り当てることと、前記第１の装置によって、前記第３の競合自由時間期間中に、前記第３の装置から第３の制御通信を受信することと、をさらに備え、前記第３の制御通信はチャネル時間要求を備え、前記第１の制御通信及び前記第３の制御通信は異なるゴレイ（Ｇｏｌａｙ）符号でエンコードされる、請求項１の方法。
【請求項１３】
前記第１の装置によって、第３の装置に第３の競合自由時間期間を割り当てることと、前記第１の装置によって、前記第３の競合自由時間期間中に、前記第３の装置から第３の制御通信を受信することと、をさらに備え、前記第３の制御通信はチャネル時間要求を備え、前記第１の制御通信及び前記第３の制御通信は異なる拡散シーケンスで拡散される、請求項１の方法。
【請求項１４】
通信のための第１の装置であって、
第２の装置に第１の競合自由時間期間を割り当てるように構成された処理システムと、
前記第１の競合自由時間期間中に、前記第２の装置から第１の制御通信を受信するように構成された受信機と、を備え、
前記第１の制御通信はチャネル時間要求を備える、第１の装置。
【請求項１５】
前記受信機は、前記処理システムが前記第１の競合自由時間期間を割り当てるよりも前に前記第２の装置からビーム方向の指示を受信するようにさらに構成され、前記第１の制御通信は前記指示されたビーム方向で受信される、請求項１４の第１の装置。
【請求項１６】
前記第１の制御通信は、ビーム方向の指示をさらに備える、請求項１４の第１の装置。
【請求項１７】
送信機、をさらに備え、
前記処理システムは前記第２の装置に第２の競合自由時間期間を割り当てるようにさらに構成され、
前記送信機は、前記第２の競合自由時間期間中に、前記指示されたビーム方向を用いて、前記第２の装置に対して第２の制御通信を送信するように構成され、前記第２の制御通信はチャネル時間グラントを備える、請求項１６の第１の装置。
【請求項１８】
前記指示されたビーム方向は、前記第２の装置に関して好ましいビーム方向である、請求項１７の第１の装置。
【請求項１９】
前記指示されたビーム方向は、複数のビーム方向を備える、請求項１７の第１の装置。
【請求項２０】
前記第２の制御通信は、少なくとも前記第２の装置に関する通信スケジュールをさらに備える、請求項１７の第１の装置。
【請求項２１】
前記送信機は、少なくとも前記第２の装置に対してビーコンを送信するようにさらに構成され、前記ビーコンは前記第１の競合自由時間期間の指示を備える、請求項１４の第１の装置。
【請求項２２】
前記送信機は、少なくとも前記第２の装置に対してビーコンを送信するようにさらに構成され、前記ビーコンは前記第１の競合自由時間期間及び前記第２の競合自由時間期間の指示を備える、請求項１７の第１の装置。
【請求項２３】
前記第１の制御通信は、複数のビーム方向を経由して受信される、請求項１４の第１の装置。
【請求項２４】
前記処理システムは第３の装置に第３の競合自由時間期間を割り当てるようにさらに構成され、前記受信機は前記第３の競合自由時間期間中に前記第３の装置から第３の制御通信を受信するように構成され、前記第３の制御通信はチャネル時間要求を備え、前記第１の競合自由時間期間及び前記第３の競合自由時間期間は重なる、請求項１４の第１の装置。
【請求項２５】
前記処理システムは第３の装置に第３の競合自由時間期間を割り当てるようにさらに構成され、前記受信機は前記第３の競合自由時間期間中に前記第３の装置から第３の制御通信を受信するようにさらに構成され、前記第３の制御通信はチャネル時間要求を備え、前記第１の制御通信及び前記第３の制御通信は異なるゴレイ（Ｇｏｌａｙ）符号でエンコードされる、請求項１４の第１の装置。
【請求項２６】
前記処理システムは第３の装置に第３の競合自由時間期間を割り当てるようにさらに構成され、前記受信機は前記第３の競合自由時間期間中に前記第３の装置から第３の制御通信を受信するようにさらに構成され、前記第３の制御通信はチャネル時間要求を備え、前記第１の制御通信及び前記第３の制御通信は異なる拡散シーケンスで拡散される、請求項１４の第１の装置。
【請求項２７】
通信のための第１の装置であって、
第２の装置に第１の競合自由時間期間を割り当てるための手段と、
前記第１の競合自由時間期間中に、前記第２の装置から第１の制御通信を受信するための手段と、を備え、
前記第１の制御通信はチャネル時間要求を備える、第１の装置。
【請求項２８】
前記受信するための手段は、前記割り当てるための手段が前記第１の競合自由時間期間を割り当てるよりも前に、前記第２の装置からビーム方向の指示を受信し、前記第１の制御通信は前記指示されたビーム方向で受信される、請求項２７の第１の装置。
【請求項２９】
前記第１の制御通信が、ビーム方向の指示をさらに備える、請求項２７の第１の装置。
【請求項３０】
前記割り当てるための手段が前記第２の装置に第２の競合自由時間期間を割り当てるように構成され、前記第２の競合自由時間期間中に前記指示されたビーム方向を用いて前記第２の装置に対して第２の制御通信を送信するための手段をさらに備え、前記第２の制御通信はチャネル時間グラントを備える、請求項２９の第１の装置。
【請求項３１】
前記指示されたビーム方向は前記第２の装置に関して好ましいビーム方向である、請求項３０の第１の装置。
【請求項３２】
前記指示されたビーム方向は複数のビーム方向を備える、請求項３０の第１の装置。
【請求項３３】
前記第２の制御通信は、少なくとも前記第２の装置に関する通信スケジュールをさらに備える、請求項３０の第１の装置。
【請求項３４】
少なくとも前記第２の装置に対してビーコンを送信するための手段をさらに備え、前記ビーコンは前記第１の競合自由時間期間の指示を備える、請求項２７の第１の装置。
【請求項３５】
前記送信するための手段は、少なくとも前記第２の装置に対してビーコンを送信するように構成され、前記ビーコンは前記第１の競合自由時間期間及び前記第２の競合自由時間期間の指示を備える、請求項３０の第１の装置。
【請求項３６】
前記制御通信は、複数のビーム方向を経由して受信される、請求項３０の第１の装置。
【請求項３７】
前記割り当てるための手段は第３の装置に第３の競合自由時間期間を割り当てるように構成され、前記受信するための手段は前記第３の競合自由時間期間中に前記第３の装置から第３の制御通信を受信するように構成され、前記第３の制御通信はチャネル時間要求を備え、前記第１の競合自由時間期間及び前記第３の競合自由時間期間は重なる、請求項２７の第１の装置。
【請求項３８】
前記割り当てるための手段は第３の装置に第３の競合自由時間期間を割り当てるように構成され、前記受信するための手段は前記第３の競合自由時間期間中に前記第３の装置から第３の制御通信を受信するように構成され、前記第３の制御通信はチャネル時間要求を備え、前記第１の制御通信及び前記第３の制御通信は異なるゴレイ符号でエンコードされる、請求項２７の第１の装置。
【請求項３９】
前記割り当てるための手段は第３の装置に第３の競合自由時間期間を割り当てるように構成され、前記受信するための手段は前記第３の競合自由時間期間中に前記第３の装置から第３の制御通信を受信するように構成され、前記第３の制御通信はチャネル時間要求を備え、前記第１の制御通信及び前記第３の制御通信は異なる拡散シーケンスで拡散される、請求項２７の第１の装置。
【請求項４０】
実行されたときに第１の装置に、
第２の装置に競合自由時間期間を割り当てさせ、
前記競合自由時間期間中に、前記第２の装置から制御通信を受信させる、命令を備えるコンピュータ可読媒体を備え、
前記制御通信はチャネル時間要求を備える、通信のためのコンピュータ・プログラム製品。
【請求項４１】
装置に競合自由時間期間を割り当てるように構成された処理システムと、
少なくとも１つのアンテナと、
前記少なくとも１つのアンテナを経由して前記競合自由時間期間中に前記装置から制御通信を受信するように構成された受信機と、を備え、
前記制御通信はチャネル時間要求を備える、アクセス・ポイント。
【請求項４２】
通信の方法であって、
第１の装置によって、第２の装置から第１の競合自由時間期間の指示を備える割り当て通信を受信することと、
前記第１の装置によって、前記第１の競合自由時間期間中に前記第２の装置に対して第１の制御通信を送信することと、を備え、
前記第１の制御通信はチャネル時間要求を備える、方法。
【請求項４３】
前記割り当て通信を受信することよりも前に、前記第１の装置によって前記第２の装置に対してビーム方向の指示を送信することをさらに備え、前記第１の制御通信は前記指示されたビーム方向に送信される、請求項４２の方法。
【請求項４４】
前記第１の制御通信が、ビーム方向の指示をさらに備える、請求項４２の方法。
【請求項４５】
前記割り当て通信は、第２の競合自由時間期間の指示をさらに備え、前記第１の装置によって前記第２の競合自由時間期間中に前記指示されたビーム方向に前記第２の装置から第２の制御通信を受信することをさらに備え、前記第２の制御通信はチャネル時間グラントを備える、請求項４２の方法。
【請求項４６】
前記指示されたビーム方向は、前記第１の装置の好ましいビーム方向である、請求項４５の方法。
【請求項４７】
前記指示されたビーム方向は、複数のビーム方向を備える、請求項４５の方法。
【請求項４８】
前記第２の制御通信は、少なくとも前記第１の装置に関する通信スケジュールをさらに備える、請求項４５の方法。
【請求項４９】
前記割り当て通信はビーコン信号を備える、請求項４２の方法。
【請求項５０】
前記第１の制御通信は、複数のビーム方向を経由して送信される、請求項４２の方法。
【請求項５１】
通信のための第１の装置であって、
第１の競合自由時間期間の指示を備える第２の装置から割り当て通信を受信するように構成された受信機と、
前記第１の競合自由時間期間中に前記第２の装置に対して第１の制御通信を送信するように構成された送信機と、を備え、
前記第１の制御通信はチャネル時間要求を備える、第１の装置。
【請求項５２】
前記受信機が前記割り当て通信を受信するよりも前に、前記送信機が前記第２の装置に対してビーム方向の指示を送信するようにさらに構成され、前記第１の制御通信は前記指示されたビーム方向に送信される、請求項５１の第１の装置。
【請求項５３】
前記第１の制御通信が、ビーム方向の指示をさらに備える、請求項５１の第１の装置。
【請求項５４】
前記割り当て通信は、第２の競合自由時間期間の指示をさらに備え、前記受信機は前記第２の競合自由時間期間中に前記指示されたビーム方向で前記第２の装置から第２の制御通信を受信するように構成され、前記第２の制御通信はチャネル時間グラントを備える、請求項５１の第１の装置。
【請求項５５】
前記指示されたビーム方向は、前記第１の装置の好ましいビーム方向である、請求項５４の第１の装置。
【請求項５６】
前記指示されたビーム方向は、複数のビーム方向を備える、請求項５４の第１の装置。
【請求項５７】
前記第２の制御通信は、少なくとも前記第１の装置の通信スケジュールをさらに備える、請求項５４の第１の装置。
【請求項５８】
前記割り当て通信は、ビーコン信号を備える、請求項５１の第１の装置。
【請求項５９】
前記第１の制御通信は、複数のビーム方向を経由して送信される、請求項５１の第１の装置。
【請求項６０】
通信のための第１の装置であって、
第１の競合自由時間期間の指示を備える第２の装置から割り当て通信を受信するための手段と、
前記第１の競合自由時間期間中に前記第２の装置に対して第１の制御通信を送信するための手段と、を備え、
前記第１の制御通信はチャネル時間要求を備える、第１の装置。
【請求項６１】
前記受信するための手段が前記割り当て通信を受信するよりも前に、前記送信するための手段が前記第２の装置に対してビーム方向の指示を送信するように構成され、前記第１の制御通信は前記指示されたビーム方向に送信される、請求項６０の第１の装置。
【請求項６２】
前記第１の制御通信が、ビーム方向の指示をさらに備える、請求項６０の第１の装置。
【請求項６３】
前記割り当て通信は、第２の競合自由時間期間の指示をさらに備え、前記受信するための手段は前記第２の競合自由時間期間中に前記指示されたビーム方向で前記第２の装置から第２の制御通信を受信するように構成され、前記第２の制御通信はチャネル時間グラントを備える、請求項６０の第１の装置。
【請求項６４】
前記指示されたビーム方向は、前記第１の装置の好ましいビーム方向である、請求項６３の第１の装置。
【請求項６５】
前記指示されたビーム方向は、複数のビーム方向を備える、請求項６３の第１の装置。
【請求項６６】
前記第２の制御通信は、少なくとも前記第１の装置の通信スケジュールをさらに備える、請求項６３の第１の装置。
【請求項６７】
前記割り当て通信は、ビーコン信号を備える、請求項６０の第１の装置。
【請求項６８】
前記第１の制御通信は、複数のビーム方向を経由して送信される、請求項６０の第１の装置。
【請求項６９】
実行されたときに第１の装置に、
第２の装置から第１の競合自由時間期間の指示を備える割り当て通信を受信させ、
前記第１の競合自由時間期間中に前記第２の装置に対して第１の制御通信を送信させる命令を備えるコンピュータ可読媒体を備え、
前記第１の制御通信はチャネル時間要求を備える、通信のためのコンピュータ・プログラム製品。
【請求項７０】
少なくとも１つのアンテナと、
前記少なくとも１つのアンテナを経由して第１の競合自由時間期間の指示を備える割り当て通信を受信するように構成された受信機と、
前記少なくとも１つのアンテナを経由して前記第１の競合自由時間期間中に装置に対して制御通信を送信するように構成された送信機と、を備え、
前記制御通信はチャネル時間要求を備える、携帯電話。
【発明の詳細な説明】
【技術分野】
【０００１】
（関連する出願への相互参照）
この出願は、２０１０年２月３日に出願され、米国特許法１１９条（ｅ）の下で、米国仮特許出願  第６１／３００，８６３号の優先権を主張し、それは全体として参照によってここに組み込まれる。
【０００２】
（分野）
本開示は、一般に通信システム、より詳細には、通信リソースの割り当てに関連している。
【背景技術】
【０００３】
（序文）
無線通信システムに関して求められる増大するバンド幅の要求の問題に取り組むために、高いデータ・スループットを達成しながら１つ又は複数のチャネルを介して通信できるように、異なるスキームが開発されている。これらのスキームは、データ及び制御情報の送信又は受信、信号変調の形態、又は、物理（ＰＨＹ）層媒体アクセス制御（ＭＡＣ）層の利用のためのプロトコルを含み得る。
【発明の概要】
【０００４】
本発明のシステム、方法、装置、及びコンピュータ可読媒体のそれぞれが複数の態様を有し、それらのうち１つだけが単にその望ましい特性を担うわけではない。以下の請求項によって表されるように、この発明の範囲を限定することなく、そのより顕著な特徴をこれから簡単に論じることにする。この検討を考慮した後、特に「詳細な説明」の段落を読んだ後に、どのようにこの発明の特徴が通信のためのプロトコルを提供するかを、当業者は十分に理解できるだろう。
【０００５】
ある態様は、第１の装置によって、第１の競合自由時間期間を第２の装置に割り当てることと、前記第１の装置によって、前記第１の競合自由時間期間中に、前記第２の装置から第１の制御通信を受信することと、を備え、前記第１の制御通信はチャネル時間要求を備える、通信の方法である。
【０００６】
他の態様は、第１の競合自由時間期間を第２の装置に割り当てるように構成された処理システムと、前記第１の競合自由時間期間中に、第１の制御通信を前記第２の装置から受信するように構成された受信機と、を備え、前記第１の制御通信はチャネル時間要求を備える、通信のための第１の装置である。
【０００７】
他の態様は、第１の競合自由時間期間を第２の装置に割り当てるための手段と、前記第１の競合自由時間期間中に、前記第２の装置から第１の制御通信を受信するための手段と、を備え、前記第１の制御通信はチャネル時間要求を備える、通信のための第１の装置である。
【０００８】
他の態様は、実行されたときに第１の装置が、第１の競合自由時間期間を第２の装置に割り当て、前記第１の競合自由時間期間中に、前記第２の装置から第１の制御通信を受信する、ようにさせる命令を備えるコンピュータ可読媒体を備え、前記制御通信はチャネル時間要求を備える、通信のためのコンピュータ・プログラム製品である。
【０００９】
他の態様は、第１の競合自由時間期間を装置に割り当てるように構成された処理システムと、少なくとも１つのアンテナと、前記少なくとも１つのアンテナを経由して前記第１の競合自由時間期間中に前記装置から第１の制御通信を受信するように構成された受信機と、を備え、前記制御通信はチャネル時間要求を備える、アクセス・ポイントである。
【００１０】
他の態様は、第１の装置によって第２の装置から、第１の競合自由時間期間の指示を備える割り当て通信を受信することと、前記第１の装置によって前記第１の競合自由時間期間中に第１の制御通信を前記第２の装置に対して送信することと、を備え、前記第１の制御通信はチャネル時間要求を備える、通信の方法である。
【００１１】
他の態様は、第１の競合自由時間期間の指示を備える第２の装置から割り当て通信を受信するように構成された受信機と、前記第１の競合自由時間期間中に前記第２の装置に対して第１の制御通信を送信するように構成された送信機と、を備え、前記第１の制御通信はチャネル時間要求を備える、通信のための第１の装置である。
【００１２】
他の態様は、第１の競合自由時間期間の指示を備える第２の装置から割り当て通信を受信するための手段と、前記第１の競合自由時間期間中に前記第２の装置に対して第１の制御通信を送信するための手段と、を備え、前記第１の制御通信はチャネル時間要求を備える、通信のための第１の装置である。
【００１３】
他の態様は、実行されたときに第１の装置が、第２の装置から第１の競合自由時間期間の指示を備える割り当て通信を受信し、前記第１の競合自由時間期間中に前記第２の装置に対して第１の制御通信を送信するようにさせる命令を備えるコンピュータ可読媒体を備え、前記第１の制御通信はチャネル時間要求を備える、通信のためのコンピュータ・プログラム製品である。
【００１４】
他の態様は、少なくとも１つのアンテナと、前記少なくとも１つのアンテナを経由して第１の競合自由時間期間の指示を備える割り当て通信を受信するように構成された受信機と、前記少なくとも１つのアンテナを経由して前記第１の競合自由時間期間中に制御通信を装置に対して送信するように構成された送信機と、を備え、前記制御通信はチャネル時間要求を備える、携帯電話である。
【図面の簡単な説明】
【００１５】
本発明のこれらとその他の例の態様は、以下に続く詳細な説明、及び、添付図面において記述されるだろう。
【図１】図１は、ある態様に従う、通信システムのブロック図を示す。
【図２】図２は、図１に示された通信システムにおける使用を目的とした無線ノードのある態様を示す。
【図３Ａ】図３Ａは、図１に示された通信システムにおける使用を目的としたビームフォーミングの態様を示す。
【図３Ｂ】図３Ｂは、図１に示された通信システムにおける使用を目的としたビームフォーミングの態様を示す。
【図３Ｃ】図３Ｃは、図１に示された通信システムにおける使用を目的としたビームフォーミングの態様を示す。
【図３Ｄ】図３Ｄは、図１に示された通信システムにおける使用を目的としたビームフォーミングの態様を示す。
【図４】図４は、スーパーフレーム構造のある態様を示す。
【図５】図５は、図１に示された通信システムにおける使用を目的とした方法のある態様のフローチャートを示す。
【図６】図６は、図１に示された通信システムにおける使用を目的とした他の方法のある態様のフローチャートを示す。
【図７】図７は、図１に示された通信システムにおける使用を目的としたスケジュールのある態様のブロック図を示す。
【図８】図８は、図１に示された通信システムにおける使用を目的とした制御通信のある態様のブロック図を示す。
【図９】図９は、図１に示された通信システムにおける使用を目的とした装置のある態様を示す。
【図１０】図１０は、図１に示された通信システムにおける使用を目的とした他の装置のある態様を示す。
【００１６】
いくつかの図面は、明確にするために単純化しても良い。このように、図面は、所定の装置、デバイス、システム、方法の全てのコンポーネント、もしくは、任意の他の示されたコンポーネント又はプロセスを描かなくても良い。類似の参照数字が、明細書及び図面を通して類似の特徴を表すように用いられても良い。
【詳細な説明】
【００１７】
様々な方法、システム、及び装置の態様が、添付図面を参照して、以下さらに十分に述べられる。しかしながら、これらの方法、システム、及び装置は、多くの異なる形式で具体化されても良く、この開示を通して表された任意の特定の構造又は機能に限定されるものとみなされるべきではない。どちらかと言えば、これらの態様は、この開示が、完全かつ完璧であり、これらの方法、システム、及び装置の範囲を当業者に完全に伝えるように提供される。ここでの開示、ここでの教示を踏まえれば、本開示が独立にインプリメントされようと、他の態様と組み合わされようと、本開示の範囲がここで開示された方法、システム、及び装置の態様をカバーするように意図されることを、当業者は十分に理解できるだろう。例えば、ここで示す態様のいくつかを用いて、１つのシステム又は装置がインプリメントされても良いし、もしくは、１つの方法が実行されても良い。さらに、ここで示す本開示の様々な態様に加えて、もしくは、それらとは他に、本開示の範囲は、他の構造、機能、又は構造かつ機能を用いて実行されるそのような装置、システム、又は方法をカバーするように意図される。ここで本開示の任意の態様が請求項の１つ又は複数の要素によって具体化され得ることは理解されるだろう。
【００１８】
いくつかの態様では、ここに記載された無線通信システムが無線エリア・ネットワークを備えることができる。例えば、本システムは、無線ローカル・エリア・ネットワーク（Ｗｉｒｅｌｅｓｓ  Ｌｏｃａｌ  Ａｒｅａ  Ｎｅｔｗｏｒｋ：ＷＬＡＮ）又は無線パーソナル・エリア・ネットワーク（Ｗｉｒｅｌｅｓｓ  Ｐｅｒｓｏｎａｌ  Ａｒｅａ  Ｎｅｔｗｏｒｋ：ＷＰＡＮ）を備えることができる。例えば、ＷＬＡＮは米国電気電子学会（ＩＥＥＥ）８０２．１１標準のような、１つ又は複数の、既存の標準もしくは発展中の標準にしたがってインプリメントされることができる。ＩＥＥＥ８０２．１１標準は、ＩＥＥＥ８０２．１１により発展された１組のＷＬＡＮエアー・インターフェース標準を表している。例えば、ここに記載されたシステムは、８０２．１１ａｄ、８０２．１１ａｃ、８０２．１１ａ、８０２．１１ｂ、８０２．１１ｇ、及び８０２．１１ｎ標準のうちのいずれか１つにしたがって、インプリメントすることができる。同様に、例えば、ＷＰＡＮは、ＩＥＥＥ８０２．１５標準のような、１つ又は複数のＩＥＥＥ標準にしたがって、インプリメントすることができる。ＩＥＥＥ８０２．１５標準は、ＩＥＥＥ委員会によって発展された１組のＷＰＡＮエアー・インターフェース標準を表す。例えば、ここに記載されたシステムは、８０２．１１ａｄ、８０２．１５．３ｂ、８０２．１５．３ｃ、８０２．１５．４ａ、８０２．１５．４ｂ、及び８０２．１５．４ｃ標準のうちいずれか１つにしたがって、インプリメントすることができる。そのようなエリア・ネットワークは、多入力・多出力（ＭＩＭＯ）技術を補助することができる。さらに、ここに記載されたシステムは、ブルートゥース標準にしたがってインプリメントすることができる。
【００１９】
ここに記載されたシステムは１つ又は複数の上記の標準にしたがってインプリメントされ得るが、ここに記載されたシステムはそのようなインプリメンテーションに限定されるわけではないことを、当業者は理解するだろう。さらに、システムがこれらの標準のうちの１つをインプリメントするものとして述べられ得るとき、本システムに存在するデバイスはその上もしくは代わりに他の標準をインプリメントできるということを、当業者は理解するだろう。この状況では、本システムの特徴を選択する際に、そのような他の標準を用いるデバイスを説明することが有益になり得る。例えば、本システムに関してはそのような他方のデバイスからの通信を説明することが有益になり得るが、本システムは他方のデバイスからの通信を受信するように構成されることはできない。いくつかの態様では、他方のデバイスからの通信は、送信及び受信スキームがインプリメントされることを選択しない限り、システム・メッセージを妨害し得る。
【００２０】
いくつかの態様では、例えば、８０２．１１ａｄ又は８０２．１５．３ｃ標準に従ってインプリメントされるシステムでは、ＰＨＹ層は（例えば、およそ６０ＧＨｚのキャリア周波数を持つ）ミリ波通信のために用いられ得る。例えば、本システムは、５７ＧＨｚ−６６ＧＨｚスペクトル（例えば、米国では５７ＧＨｚ−６４ＧＨｚ、日本では５９ＧＨｚ−６６ＧＨｚ）のミリ波通信のために構成され得る。そのようなインプリメンテーションは、短距離通信（例えば、数メートルから数１０メートル）での使用に関して特に有益である。例えば、本システムは、会議室内で動作し、会議室内に位置するデバイス間で無線通信能力を提供するように構成されても良い。
【００２１】
ミリ波を利用するシステムは、一般に、異なるデバイス間で通信を管理するアクセス・ポイント（ＡＰ）／ポイント協調機能（ＰＣＦ）などの、中央のエンティティを有することができ、それは局（ＳＴＡ）とも呼ばれる。セントラル・エンティティを持つことは、通信プロトコルの設計を単純化することができる。いくつかの態様では、専用の又は予め定められたＡＰがあっても良い。他のシステムでは、複数のデバイスがＡＰの機能を実行し得る。いくつかの態様では、任意のデバイスがＡＰとして用いられ得るかあるいは、ＡＰの機能を実行することが異なるデバイス間で循環し得る。多くの態様でＳＴＡがＡＰとして用いられ得ることを、当業者は理解するだろう。いくつかの態様では、専用の又は予め定められたＡＰが存在し得るかあるいは、ＳＴＡがＡＰの機能をインプリメントするように用いられ得るかあるいは、ＡＰの機能を実行する１つ又は複数のＳＴＡに接続された専用の又は予め定められたＡＰが存在し得る。
【００２２】
ＡＰは、基地局、基地トランシーバ局、局、端末、ノード、アクセス・ポイントとして動作するアクセス端末、ＷＬＡＮデバイス、ＷＰＡＮデバイス、又はいくつかの他の適した専門用語を備えることができるかもしくは、それらとしてインプリメントされるかもしくは、それらのように呼ばれることができる。アクセス・ポイント（ＡＰ）は同様に、ノードＢ（ＮｏｄｅＢ）、無線ネットワーク制御装置（ＲＮＣ）、ｅノードＢ（ｅＮｏｄｅＢ）、基地局コントローラ（ＢＳＣ）、基地トランシーバ局（ＢＴＳ）、基地局（ＢＳ）、送信機機能（ＴＦ）、無線ルータ、無線送信機、基本サービス・セット（ＢＳＳ）、拡張されたサービス・セット（ＥＳＳ）、無線基地局（ＲＢＳ）、又はいくつかの他の専門用語を備えることができるか、もしくは、それらとしてインプリメントされるか、もしくは、それらのように呼ばれることができる。
【００２３】
ＳＴＡは、アクセス端末、利用者端末、移動局、加入者局、局、無線デバイス、端末、ノード、又はいくつかの他の適した専門用語を備えることができるか、もしくは、それらとしてインプリメントされるか、もしくは、それらのように呼ばれることができる。ＳＴＡは同様に、リモート局、リモート端末、利用者エージェント、利用者デバイス、利用者設備、又はいくつかの他の専門用語を備えることができるか、もしくは、それらとしてインプリメントされるか、もしくは、それらのように呼ばれることができる。
【００２４】
いくつかの態様では、ＳＴＡは、携帯電話、コードレス電話、セッション開始プロトコル（ＳＩＰ）電話、無線ローカル・ループ（ＷＬＬ）局、パーソナル・デジタル・アシスタント（ＰＤＡ）、無線接続機能を持つ手持ち式のデバイス、又は無線モデムに接続されたいくつかの他の適した処理デバイスを備えることができる。したがって、ここで教えられた１つ又は複数の態様は、電話（例えば、携帯電話又はスマート・フォン）、コンピュータ（例えば、ラップトップ）、携帯用通信デバイス、携帯用コンピューティング・デバイス（例えば、パーソナル・データ・アシスタント）、エンターテインメント・デバイス（例えば、音楽デバイス又は映像デバイス、又は衛星無線）、全地球測位システム・デバイス、又は無線媒体を経由して通信するように構成された任意の他の適したデバイスに組み込むことができる。
【００２５】
特別な態様はここに記載されたが、これらの態様の多くの変形例及び組み合わせは、本開示の範囲内に含まれるものである。いくつかの好ましい態様の利益及び利点が述べられたが、本開示の範囲は、特定の利益、使用、又は対象に限定されるように意図するわけではない。どちらかと言えば、本開示の態様は、異なる無線技術、システム構成、ネットワーク、及び送信プロトコルに広く適用できるように意図されており、それらのうちのいくつかは、図面及び好ましい態様の以下の説明で例として示される。詳細な説明、及び以下に記載される図面は、限定するのではなく単に本開示の例示に過ぎない。
【００２６】
図１は、無線通信システム１００のある態様を示す。記載されたように、システム１００は、上記のとおり、例えばおよそ６０ＧＨｚの周波数を持つ波を用いたＰＨＹ層にわたって、無線リンク１０４を用いて相互に通信できるいくつかの無線ノード１０２を含むことができる。示された態様では、無線ノード１０２は、４つの局ＳＴＡ  １Ａ−ＳＴＡ  １Ｄ、及びアクセス・ポイントＡＰ  １Ｅを含む。システム１００は５つの無線ノード１０２で示されているが、有線であれ無線であれ、いくつの数のノードでも、無線通信システム１００を形成することができることは、十分理解できるだろう。
【００２７】
システム１のノード１０２のそれぞれは、とりわけ、無線通信を補助するための無線トランシーバと、ネットワークを介して通信を管理するためのコントローラ機能性とを含むことができる。コントローラ機能性は、１つ又は複数のデジタル処理デバイス内でインプリメントされ得る。無線トランシーバは、無線チャネルを介して信号の送信及び受信を容易にするために１つ又は複数のアンテナに結合され得る。例えばダイポール・アンテナ、パッチ・アンテナ、ヘリカル・アンテナ、アンテナ・アレイ、及び／又は他のものを含む、任意のタイプのアンテナが用いられ得る。
【００２８】
示したように、ＡＰ  １Ｅは、システム１００の他のノードに対してビーコン信号１１０（又は単に「ビーコン」）を送信することができ、それは他方のノードＳＴＡ  １Ａ−ＳＴＡ  １ＤがＡＰ  １Ｅとそのタイミングを同調させることを助けることができ、あるいは、他の情報又は機能性を提供することができる。そのようなビーコンは周期的に送信され得る。ある態様では、連続送信間の周期はスーパーフレームと呼ばれ得る。ビーコンの送信は、いくつかのグループ又は間隔に分割され得る。ある態様では、ビーコンは、共通クロック、ピア・ツー・ピア・ネットワーク識別子、デバイス識別子、機能情報、スーパーフレーム期間、送信方向情報、受信方向情報、近傍リスト、及び／又は拡張された近傍リストをセットするために、タイムスタンプ情報としてそのような情報を含むことができるが、限定されるわけではなく、それらのうちのいくつかは、以下の追加の詳細に記載される。このように、ビーコンは、いくつかのデバイスの間で共通な（例えば、シェアされた）情報と任意のデバイスに特有の情報との両方を含むことができる。
【００２９】
システム１００では、ＳＴＡ  １Ａ−１Ｄは、各ＳＴＡ  １Ａ−１ＤがＳＴＡ１  Ａ−１Ｄ毎に１つと通信することができないような方法で、地理的領域の至る所に分布されることができる。さらに、各ＳＴＡ  １Ａ−１Ｄは、それが通信できる異なる範囲領域を有することができる。いくつかの態様では、ピア・ツー・ピア・ネットワークは、２つ以上のＳＴＡ  １Ａ−１Ｄの間で確立され得る。
【００３０】
いくつかの態様では、ＳＴＡは、ＡＰに対し通信を送るため、かつ／又はＡＰから通信を受信するためにＡＰと結合するように要求され得る。ある態様では、結合に関する情報は、ＡＰによるビーコン・ブロードキャストに含まれる。そのようなビーコンを受信するために、例えば、ＳＴＡは範囲領域全体にブロード範囲サーチを実行することができる。例えば、サーチはまた、灯台風に範囲領域を掃引することで、ＳＴＡによって実行されることもできる。結合に関する情報を受信した後、ＳＴＡは、ＡＰに対して、結合プローブ又は要求などの参照信号を送信することができる。いくつかの態様では、例えば、ＡＰは、インターネット又は公衆交換電話網（ＰＳＴＮ）などの大きなネットワークと通信するためにバックホール・サービスを用いることができる。
【００３１】
図２は、無線通信システム１００内で用いられ得る無線ノード１０２のある態様を示す。例えば、ＳＴＡ  １Ａ−１Ｄ又はＡＰ  １Ｅのうち１つ又は複数が、図２に関して記述されたようにインプリメントされることができる。無線ノード１０２は、ここに記載された様々な方法をインプリメントするように構成され得るデバイスのある態様である。無線ノード１０２はハウジング２０８内に囲われ得るか、そうでなければ、無線ノード１０２のコンポーネントは他の構造によってともに補助もしくは分類され得る。いくつかの態様では、ハウジング２０８又は他の構造は省略されている。
【００３２】
無線ノード１０２は、無線ノード１０２の動作を制御する処理システム２０４を含むことができる。いくつかの態様では、処理システム２０４は中央演算処理装置（ＣＰＵ）と呼ばれ得る。いくつかの態様では、処理システム２０４は、少なくとも処理システム２０４の機能を実行するように構成された回路を備えるかあるいはインプリメントされ得る。読み取り専用メモリ（ＲＯＭ）及びランダム・アクセス・メモリ（ＲＡＭ）の両方を含むことができ、かつ揮発性または永久的になり得るメモリ２０６は、処理システム２０４に対して命令及びデータを提供することができる。メモリ２０６の一部分は、不揮発性のランダム・アクセス・メモリ（ＮＶＲＡＭ）を含むこともできる。処理システム２０４は一般に、メモリ２０６内に記憶されるプログラム命令に基づいて論理的かつ算術の動作を実行するが、もちろん他の動作を実行することもできる。メモリ２０６の命令は、ここに記載された方法をインプリメントするように実行でき得る。さらに、ノード１０２は、ディスク又はメモリ形式のカードなどの他のタイプのコンピュータ可読媒体を受け入れるように構成されても良いし、もしくは、ハード・ドライブなどのコンピュータ可読媒体に接続されても良く、これは、実行されたときにノード１０２にここに記載された方法又はプロセスを実行させる命令を備えることができる。
【００３３】
無線ノード１０２は、無線ノード１０２と遠方位置との間に、通信の送信及び受信を可能にするための送信機２１０及び受信機２１２を含むこともできる。送信機２１０及び受信機２１２がトランシーバ２１４と組み合わされ得るということを、当業者は理解するだろう。アンテナ２１６は、ハウジング２０８と結合され、かつトランシーバ２１４と電気的に結合されることができる。無線ノード１０２は、（図示されていない）複数の送信機、複数の受信機、複数のトランシーバ、及び／又は複数のアンテナを含むこともできる。
【００３４】
無線ノード１０２での複数のアンテナは、追加のバンド幅又は送信パワー無しでデータ・スループットを改良するように通信するために用いられることができる。これは、送信機で高データ・レート信号を異なる空間記号を持つ複数の低レート・データ・ストリームに分割することによって達成されることができ、かくして、受信機がこれらのストリームを複数のチャネルに分け、かつ、高レート・データ信号を回復するようにストリームを的確に組み合わせることを可能にする。さらに、複数のアンテナは、能力の増加が、ビームフォーミング又は複数の通信ビーム・パターンをインプリメントすることを可能にすることができる。いくつかの態様では、１つ又は複数のアンテナが操縦できる。
【００３５】
無線ノード１０２は、どうにかしてトランシーバ２１４によって受信された信号のレベルを検出しかつ定量化するために用いられ得る信号検出器２１８を含むこともできる。信号検出器２１８は、全エネルギー、シンボル毎のサブキャリア毎のエネルギー、パワー・スペクトル密度、そして他の信号のような信号を検出することができる。無線ノード１０２は、信号を処理する際に使用するために、デジタル信号プロセッサ（ＤＳＰ）２２０を含むこともできる。もちろん、ＤＳＰ２２０はいくつかの態様では省略されても良いし、あるいは、ＤＳＰの機能は処理システム２０４によって実行されても良い。
【００３６】
無線ノード１０２の様々なコンポーネントは、バス・システム２２２とともに結合されてもよく、これはデータ・バスに加えて、パワー・バス、制御信号バス、ステータス信号バスを含むことができる。もちろん、コンポーネントは、さらに、他の方法でもしくは他の手段を用いて、結合されるかあるいは電気的に接続されても良い。
【００３７】
上記のとおり、ＳＴＡ、ＡＰ、又はその両方が、上記の無線ノード１０２の説明にしたがってインプリメントされることができる。いくつかの態様では、ビーコン信号を送信することができる任意のデバイスが、ＡＰとして働くことができる。しかしながら、いくつかの態様では、ＡＰを有効にするために、ネットワーク中の全てのＳＴＡに対して良いリンクの質を持たなければならないかもしれない。信号の減衰が比較的激しくなり得る高周波数では、通信は本質的に指向性になることができ、かつ利得を増大させるためにビームフォーミング（例えば、ビーム・トレーニング）を用いることができる。したがって、有効ＡＰは、大きなセクター境界（例えば、広範囲の操作能力）を有利に所有することができる。ＡＰは、（例えば、複数のアンテナによって供給され得る）大きなビームフォーミング利得を有することができ、見通し線が無線システム１００によって供給されるほとんどの領域に存在するように搭載されてもよく、かつ／又は、周期的なビーコン送信及び他の管理機能のための定常電源を有することができる。しかしながら、たとえデバイスが、小さいセクター境界に限定され得るアンテナ操作能力、及び限定され得る有効電力、及び／又は変化し得る位置を持ったとしても、例えばピア・ツー・ピア・ネットワークを形成する場合には、デバイスはいくつかの態様ではＡＰとして実行することができる。ピア・ツー・ピア・ネットワークは、サイド・ローディング、ファイル共有などの様々な目的、及び他の目的のために用いられることができる。いくつかの態様では、ピア・ツー・ピア・ネットワークは、デバイスが効果的に、全ての他のデバイスに対して送信し、かつ全ての他のデバイスから受信することができないように形成され得る。
【００３８】
いくつかの態様では、無線ノード１０２は、例えば６０ＧＨｚトランシーバ、２．４ＧＨｚトランシーバ、５ＧＨｚトランシーバ、など、異なる周波数のトランシーバを持つ多重モード無線に備えられている。いくつかのインプリメンテーションでは、低周波数通信は無指向性に実行されることができ、高周波数通信は指向性に実行されることができる。そのような態様は、無指向性のプロトコルがさらなる通信を位置づけ、かつセット・アップするために用いられることができ、さらなる通信が指向性のプロトコルを用いるネットワークにおいて有利になり得る。
【００３９】
図３Ａ−３Ｄは、ビームフォーミングの態様を示す。上記のとおり、例えば、無線ノード１０２は、アンテナ２１６又は複数のアンテナを用いて、１つ又は複数のビームフォーミングのタイプをインプリメントするように構成されることができる。ビームフォーミングはＡＰに関して以下で記述されるが、上記のとおりＳＴＡがそのようなビームフォーミングをインプリメントできるということを、当業者は十分理解できるだろう。さらに、以下で記述されるビームフォーミングが、送信される信号、ならびに、受信される信号のビーム又は方向を参照し得ることを、当業者は十分理解できるだろう。さらに、ＡＰが、送信するためと同様に受信するために異なるビームフォーミングをインプリメントすることができ、かつ／又は任意のそのようなビームフォーミングをダイナミックに調整することができることを、当業者は十分に理解できるだろう。ビームフォーミングは予め定められていても良い。
【００４０】
用語準総パターンは、一般的にデバイス周辺の当該のかなり広範囲の空間の領域をカバーする最低限の分解能パターンに関連する。例えば、図１にＡＰ  １Ｅによって示したとおり、あるいは図２に示したようにインプリメントされたとおり、ＡＰは、最小の組のできる限り重なる準総パターンで当該の空間の領域をカバーすることができる。組のサイズが１に等しいということは、ＡＰが１つだけの準総パターンを持つ当該の空間領域をカバーすることができるということを示すことができ、ＡＰが全て有能であるということを示している。準総送信及び準総受信パターンは、Ｑｎで定義することができ、ｎはそれぞれの方向を表す。ビームが重なり合うことができるということ、及び別個のｎで記された各方向は区別される必要が無いということを、当業者は十分に理解できるだろう。２つのほぼ等しいパターンを持つビーム・パターンは、図３Ａに図示されている。この態様では、ｎ＝２である。
【００４１】
もちろん、準総パターンに関して記載されたものよりも狭いアジマス（方位角）を持つビームが用いられても良い。各ビームは、準総パターンで用いられたビームと比較して大きな利得及び信号対雑音比（ＳＮＲ）の増加によって特徴付けられ得るので、そのような狭いビームは有利になり得る。これは、高信号フェージング又は減衰を受けるシステムにおいて特に有利である。
【００４２】
図３Ｂは、アジマスが準総パターンに関して記載されたものよりも狭いビームフォーミングの態様を示す。送信及び受信パターンはＳ０−Ｓ５によって定義されている。図３Ｂに示すように、ＡＰによって形成されたビームは重なり合うことができる。もちろん、ビーム・パターンは、重ならないビームを備えることができる。上記のとおり、ＡＰは、ビームが示している方向を変化させるように構成されることができる。したがって、図３Ｂ中のＡＰはまずビームＳ１を経由して、次いでビームＳ２などを経由して通信を送信かつ／又は受信することができる。必ずというわけではないが、ＡＰは完全な円を形成するためにビームを連続方向に示すように方向を変化させることができる（つまり、０−５の方向に順に示し、次いで０で再び開始する）。代わりに、ＡＰはどの順序で方向を変化させてもよく、もしくは、示す方向をランダムに選択しても良い。
【００４３】
図３Ｃ及び３Ｄは、さらに狭いビームを持つ態様を示す。図３Ｃは、１６方向Ｂ０−Ｂ１５を持つビーム・パターンを示しており（これらの方向のうち半数Ｂ０−Ｂ７だけが、図に番号付けされている）、図３Ｄは３２方向Ｈ０−Ｈ３１を持つビーム・パターンを示している（これらの方向のうち半数Ｈ０−Ｈ１５だけが、図に番号付けされている）。狭いビームは上で論じられた利点を提供できるが、追加のオーバーヘッド情報を要求することもでき、あるいは、ビームの方向を変化させるための追加の時間を要求することができる。したがって、使用するビームの数を選択するときに、必要なオーバーヘッドは考慮される必要があり得る。ビームは実質的に対称的になるように示されているが、ビームの形状、サイズ、及び／又は分布は変動し得る。
【００４４】
用語セクターは一般的には、複数のビームの比較的広範囲をカバーする第２レベルの分解能パターンを参照するように用いられ得る。あるセクターは１組の連続ビーム及び非連続ビームをカバーすることができ、異なるセクターは重なることができる。ビームはさらに、分解能パターンの高レベルとして高分解能（ＨＲＳ）ビームに分割することができる。
【００４５】
準総パターン、セクター、ビーム、及びＨＲＳビームの多重分解能定義は、多重レベル定義になることができ、ここで各レベルは１組のアンテナ・パターンを用いることができる。したがって、準総パターンは第１組のアンテナ・パターンを表すことができ、セクターは第２組のアンテナ・パターンを表すことができ、ビームは望ましくは第２組のアンテナ・パターンから導出される第３組のアンテナ・パターンを表すことができ、ＨＲＳビームは望ましくは第３組のアンテナ・パターンから導出される第４レベルのアンテナ・パターンを表すことができる。
【００４６】
図４は、以前に上で述べられたとおり、スーパーフレーム構造のある態様を示す。スーパーフレーム４００は、ビーコン間隔４０２、アクセス期間４０４、そしてチャネル時間割り当て期間（ＣＴＡＰ）４０６を備えることができる。ＣＴＡＰ４０６は、複数のチャネル時間割り当て（ＣＴＡ）４０８を備えることができる。
【００４７】
いくつかの態様では、記載された装置及び方法は、アクセス期間４０４中の時間の割り当てに関連している。本態様は、上述のシステム１００などの、高指向性通信システムで制御通信を交換するために用いられるオーバーヘッドの量を減少させることが好ましい。ある態様では、装置がアクセス・ポイント１１０などのある装置に対して制御メッセージを送信及び受信し得る間に、時間スロットは、局１０２などの１つ又は複数の装置に割り当てられる。ある例では、制御メッセージは、チャネル時間要求（ＲＥＱ）メッセージ及びＲＥＱグラント・メッセージである。以下で詳細に記述されるように、時間スロットを装置に割り当てることによって、使用されていないビーム方向を経由して感知すること及び送信することに関連するオーバーヘッドは取り除くことができる。
【００４８】
図５は、図１に示した通信システムでの使用を目的とした方法５００のある態様のフローチャートを示す。ある態様では、方法５００は、図１のアクセス・ポイント１Ｅなどのアクセス・ポイントによってインプリメントされる。方法５００は、図２に示したコンポーネントの１つ又は複数を用いてインプリメントされ得る。ブロック５１１で、アクセス・ポイント１Ｅは、制御通信を受信しかつ送信するためのスケジュールを決定する。上記のとおり、ある制御通信がネットワーク・システムの１又は複数の参加者によって送信及び受信されることができる間は、通信システムでの使用のためのスーパーフレーム４００は、アクセス期間４０４を定義することができる。ある態様では、アクセス・ポイント１Ｅは、アクセス期間４０４中に、これらの制御通信の送信及び受信を編成するためのスケジュールを決定する。例えば、アクセス・ポイント１Ｅは、アクセス期間４０４を１つ又は複数の時間スロットに細分化することができる。この細分化は、図７に関して以下で詳細に記述される。次いで、アクセス・ポイント１Ｅは、１つ又は複数のネットワーク参加者に１つ又は複数の時間スロットを割り当てることができる。ある態様では、時間スロットは、アクセス・ポイント１Ｅから局１Ａなどの特定の局への通信のために割り当てられる。時間スロットは、局１Ａなどの特定の局からアクセス・ポイント１Ｅへの通信のために割り当てられても良い。他の態様では、単一の時間スロットは、両方の方向の通信のために割り当てられても良い。他の態様では、１つ又は複数の時間スロットは、まだ通信システムに参加していないデバイスのために指定されることができる。スケジュールは、時間スロットの数及び長さの指示を備えることができる。さらに、スケジュールは、各時間スロットの間に局が制御通信を送信又は受信するように許可されている場合、それの指示を備えることができる。ある特定の態様では、アクセス・ポイント１Ｅは、チャネル時間要求メッセージなどの制御通信を送信するために、局１Ａなどの第１の局にアクセス期間４０４中の第１の時間スロットを割り当てることができる。アクセス・ポイントは、チャネル時間グラント・メッセージなどの第２の制御通信を受信するために、局１Ａにアクセス期間４０４中の第２の時間スロットを割り当てることもできる。
【００４９】
ブロック５１６で、アクセス・ポイントは、局１Ａ−１Ｄなどの１つ又は複数の装置に対してスケジュールを送信する。ある態様では、スケジュールは、ビーコン１１０、４０２の一部として送信される。この方法では、局１Ａ−１Ｄのそれぞれは、スケジュールを受信し、制御通信を送信しかつ受信するために局１Ａ−１Ｄのそれぞれに時間スロットが割り当てられる場合、それを決定することができる。例えば、局１Ａは、第１の特定の時間スロットがアクセス・ポイント１Ｅに制御通信を送るために割り当てられ、第２の特定の時間スロットがアクセス・ポイント１Ｅから第２の制御通信を受信するために割り当てられることを決定することができる。２つの異なる局に割り当てられた時間スロットは、同じ、重なり合い、もしくは異なり得る。ある態様では、上で示されていない、まだ通信システムに参加していない追加の局が、ビーコン１１０、４０２、及びそこに含まれたスケジュールを受信することもできる。この態様では、これらの追加の局は、通信システムに参加することが望ましい局のために割り当てられた１つ又は複数の時間スロットを決定することができる。
【００５０】
ブロック５２１で、アクセス・ポイント１Ｅは、スケジュールにしたがって、局１Ａ−１Ｄなどの１つ又は複数の装置から第１の制御通信を受信する。例えば、局１Ａから制御通信を受信するために割り当てられた第１の時間スロットの間に、アクセス・ポイント１Ｅは、局１Ａから、チャネル時間要求などの制御通信を受信する。同様に、局１Ｂから制御通信を受信するために割り当てられた他の時間スロットの間に、アクセス・ポイント１Ｅは、局１Ｂから、別個のチャネル時間要求などの別個の制御通信を受信することができる。さらに、上記のとおり、まだ通信システムに参加していない装置による使用のために割り当てられた第３の時間スロットの間に、アクセス・ポイント１Ｅは、装置から、アクセス要求などの制御通信を受信することができる。ある態様では、制御通信は、１つ又は複数のビーム方向を用いて受信され得る。異なる局から受信した制御通信は、異なるゴレイ（Ｇｏｌａｙ）符号を用いてエンコードされるか、あるいは異なる拡散シーケンスを用いて拡散されることができる。
【００５１】
ある態様では、割り当てられた時間スロットの間に局１Ａ−１Ｄから受信した制御通信は、ビーム方向の指示を備える。上記のとおり、通信システム１００は、高度な指向性になり得る。したがって、通信の受信及び送信の成功は、通信を送信及び受信するときに用いられるビーム方向に依存し得る。局からアクセス・ポイントへの制御通信にビーム方向を含むことで、使用されていない方向で検出しかつ送信することに関連するオーバーヘッドが減少させられる。これは、増大するデータ送信バンド幅などの他の目的のために用いられるようにスーパーフレームで時間を開放することが好ましい。例えば、局１Ａは、図３Ｄのビーム方向Ｈ２などのビーム方向の指示を含んでいても良い。ある態様では、このビーム方向の指示は、前に局１Ａによって受信された通信に基づき得る。例えば、局１Ａは、他のビーム方向と比較される場合に、ビーム方向Ｈ２を用いて受信した通信が、良い信号対雑音比又は他の有利な特性を持つということを決定することができる。したがって、ビーム方向Ｈ２は、局１Ａに関して好ましいビーム方向を備えることができる。他の態様では、ビーム方向の指示は、１つのビーム方向よりも多くの指示を備えることができる。下記のように、アクセス・ポイント１Ｅは、通信システムにおけるオーバーヘッドを減少させるためにビーム方向の指示を用いることができる。
【００５２】
ブロック５２６で、アクセス・ポイント１Ｅは、スケジュールにしたがって、１つ又は複数の装置に対して第２の制御通信を送信する。例えば、局１Ａに対して制御通信を送信するために割り当てられた時間スロットの間に、アクセス・ポイント１Ｅは、局１Ａに対し、チャネル時間グラントなどの第２の制御通信を送信する。同様に、局１Ｂに対して制御通信を送信するために割り当てられた時間スロットの間に、アクセス・ポイント１Ｅは、局１Ｂに対し、別個のチャネル時間グラントなどの別個の第２の制御通信を送信することができる。さらに、上記のとおり、まだ通信システムに参加していない装置による使用のために割り当てられた第３の時間スロットの間に、アクセス・ポイント１Ｅは、装置に対し、アクセス・グラント・メッセージなどの第２の制御通信を送信することができる。
【００５３】
ある態様では、割り当てられた時間スロットの間に局１Ａ−１Ｄに対して送られた制御通信は、それぞれの局から受信した制御通信に示されたビーム方向を経由して送られる。したがって、例えば、局１Ａから受信した制御通信がビーム方向Ｈ２の指示を備える場合、アクセス・ポイント１Ｅから局１Ａへに送られた制御通信は、ビーム方向Ｈ２を用いて送られ得る。定義されたビーム方向を用いて、アクセス・ポイント１Ａは、他のビーム方向を用いて制御通信を送るために時間を用いるのではなく、増大するデータ送信バンド幅などの他の使用のためにスーパーフレームで時間を開放する。
【００５４】
図６は、図１に示した通信システムでの使用を目的とした他の方法６００のある態様のフローチャートを示す。ある態様では、方法６００は、図１の局１Ａ−１Ｄなどのアクセス局によってインプリメントされる。方法６００は、図２に示した１つ又は複数のコンポーネントを用いてインプリメントされ得る。ブロック６４１で、局１Ａなどの局は、制御通信を受信しかつ送信するためのスケジュールを受信する。上記のとおり、スケジュールは、アクセス期間が１つ又は複数の時間スロットに細分化されていることを示すことができる。各期間は、局１Ａなどの個々の局に指定されることができ、かつ制御通信を受信するかあるいは送信するために割り当てられることができる。例えば、第１の時間スロットは、アクセス・ポイント１Ｅに対しチャネル時間要求などの制御通信を送信するために、局１Ａに割り当てられても良い。さらに、第２の時間スロットは、アクセス・ポイント１Ｅからチャネル時間グラントなどの第２の制御通信を受信するために、局１Ａに割り当てられても良い。
【００５５】
ブロック６４６で、局１Ａは、スケジュールにしたがって、アクセス・ポイント１Ｅなどの装置に対して第１の制御通信を送信する。例えば、局１Ａは、第１の割り当てられた時間スロットの間に、アクセス・ポイント１Ｅに対して制御通信を送信することができる。ある態様では、上記のとおり、制御通信はビーム方向の指示を備えることができる。他の態様では、制御通信は、１つ又は複数のビーム方向を用いて送信され得る。
【００５６】
ブロック６５１で、局１Ａは、スケジュールにしたがって、アクセス・ポイント１Ｅなどの装置から第２の制御通信を受信する。例えば、局１Ａは、第２の割り当てられた時間スロットの間に、アクセス・ポイント１Ｅから第２の制御通信を受信することができる。ある態様では、上の態様で記述されたとおり、制御通信は、第１の通信メッセージに示されたビーム方向に従って、受信され得る。示されたビーム方向を用いて、アクセス・ポイント１Ａは、他のビーム方向を用いて制御通信を送るために時間を用いるのではなく、増大するデータ送信バンド幅などの他の使用のためにスーパーフレームで時間を開放する。
【００５７】
図７は、図１に示した通信システムでの使用を目的としたスケジュール７０４のある態様のブロック図を示す。スケジュール７０４は、図４のアクセス期間４０４の一部分を示す。示したとおり、スケジュール７０４は、複数の時間スロット７１０、７１５、７２０、７２５、７３０、７３５を備える。時間スロット７１０は、アクセス・ポイント１Ｅなどのアクセス・ポイントに対して、チャネル時間要求などの制御メッセージを送信するために、局１Ａなどの特定の局のために用意されている時間スロットを備える。時間スロット７１５は、アクセス・ポイント１Ｅなどのアクセス・ポイントに対して制御メッセージを送信するために、局１Ｂなどの特定の局のために用意されている時間スロットを備える。時間スロット７２０は、特定の局に割り当てられていない時間スロットを備える。上記のとおり、この時間スロット７２０は、関連メッセージなどのメッセージを送信あるいは受信するために、通信システムにまだ参加していない１つ又は複数の局によって用いられることができる。いくつかの態様では、割り当てられた時間スロットは専用の、競合自由時間スロットである。しかしながら、他の態様では、どの局も定義されていないような時間スロットは、競合ベースのアクセス時間期間として用いられ得る。他の態様では、時間スロット７２０は、１つ又は複数の局と通信するためにアクセス・ポイント１Ｅによって用いられることができた。
【００５８】
時間スロット７２５は、アクセス・ポイント１Ｅなどのアクセス・ポイントからチャネル時間グラントなどの第２の制御メッセージを受信するために、局１Ａなどの特定の局のために用意されている時間スロットを備える。時間スロット７３０は、アクセス・ポイント１Ｅなどのアクセス・ポイントから第２の制御メッセージを受信するために、局１Ｂなどの特定の局のために用意されている時間スロットを備える。時間スロット７３５は、特定の局に割り当てられていない時間スロットを備える。時間スロット７３５は、上で記述された時間スロット７２０に似た方法で用いられ得る。
【００５９】
他の態様では、時間スロット７１０及び７１５などの時間スロットは、所定の固定の長さを持っていても良いし、あるいはダイナミックに決定された長さを持っていても良い。特定の時間スロットの長さは、１つ又は複数の局、チャネル条件、トラフィック使用、又は他の指示とともに前の通信に基づいたアクセス・ポイント１Ｅによって決定され得る。他の態様では、時間スロット７１０及び７１５などの時間スロットは、アクセス期間４０４に加えてチャネル時間アクセス期間に割り当てられても良い。
【００６０】
図８は、図１に示した通信システムでの使用を目的とした制御通信８１０のある態様のブロック図を示す。ある態様では、制御通信８１０はチャネル時間要求を備える。示したとおり、制御通信８１０は、様々なタイプの情報を含む、フィールド８１３、８１１、及び８１６などの、複数のフィールドを備えることができる。ある態様では、制御通信は、ビーム方向の指示を備えるフィールド８１１を備える。上記のとおり、アクセス・ポイント１Ｅは、１つ又は複数のビーム方向を経由して通信を送信することができる。ビーム方向の指示は、局１Ａなどの特定の局との改良された通信を容易にする１つ又は複数のビーム方向を備えることができる。例えば、ビーム方向の指示は、局１Ａに関して、ビーム方向Ｈ２が好ましいような指示を備えることができる。この方法では、アクセス・ポイント１Ｅは、他の好ましくないビーム方向を用いて通信を送信する時間を用いるのではなく、好ましいビーム方向を用いて局１Ａと通信することができる。制御通信の他のフィールドは、他の情報を備えていても良い。例えば、この情報は、チャネル時間要求、チャネル時間グラント、チャネル時間割り当て、チャネル品質指標、ペイロード指示計、及びトラフィック負荷指示計を含んでいても良い。
【００６１】
処理システム中の１つ又は複数のプロセッサは、ソフトウェアを実行することができる。ソフトウェアは、ソフトウェア、ファームフェア、ミドルウェア、マイクロコード、ハードウェア記述言語、又はそれ以外に呼ばれていようとも、呼ばれていなくても、命令、命令セット、コード、コード・セグメント、プログラム・コード、プログラム、サブプログラム、ソフトウェア・モジュール、アプリケーション、ソフトウェア・アプリケーション、ソフトウェア・パッケージ、ルーティン、サブルーティン、オブジェクト、エグゼクタブル、実行のスレッド、手段、機能、などを意味するように広くみなされるべきである。
【００６２】
１つ又は複数の例示の態様では、記載された機能は、ハードウェア、ソフトウェア、ファームウェア、又は任意のそれらの組み合わせでインプリメントされ得る。ソフトウェアでインプリメントされた場合、機能は、コンピュータ可読媒体に対する１つ又は複数の命令もしくはコードに記憶されるか、あるいはそれらを通して伝送され得る。コンピュータ可読媒体は、コンピュータ記憶媒体及び通信媒体の両方を含んでおり、それらはある場所から別の場所へコンピュータ・プログラムの転送を容易にするような任意の媒体を含む。記憶媒体は、コンピュータによってアクセス可能な任意の有効媒体になり得る。例として、限定するわけではないが、そのようなコンピュータ可読媒体は、ＲＡＭ、ＲＯＭ、ＥＥＰＲＯＭ、ＣＤ−ＲＯＭ、又は、他の光学ディスク記憶、磁気ディスク記憶、又は他の磁気記憶デバイス、又は、命令あるいはデータ構造の形式の望ましいプログラムを搬送または記憶するために用いられることができ、コンピュータによってアクセス可能な任意の他の媒体を備えることができる。また、任意の接続が当然にコンピュータ可読媒体と名づけられる。例えば、ソフトウェアが、同軸ケーブル、光ファイバー・ケーブル、ツイステッド・ペア、デジタル加入者線（ＤＳＬ）を用いたウェブサイト、サーバー、又は他のリモート・ソース、あるいは、赤外線、電波、マイクロ波などの無線技術から送信される場合、同軸ケーブル、光ファイバー・ケーブル、ツイステッド・ペア、ＤＳＬ、又は、赤外線、電波、及びマイクロ波などの無線技術は、媒体の定義に含まれることになる。ここで用いられたようなディスク（ｄｉｓｋ）及びディスク（ｄｉｓｃ）は、コンパクトディスク（ＣＤ）、レーザ・ディスク、光学ディスク、デジタル多用途ディスク（ＤＶＤ）、フロッピー（登録商標）ディスク及びブルーレイ・ディスクを含み、ここで、通常ディスク（ｄｉｓｋ）はデータを磁気的に再生し、一方ディスク（ｄｉｓｃ）はレーザを用いてデータを光学的に再生する。したがって、いくつかの態様では、コンピュータ可読媒体は、一時的ではないコンピュータ可読媒体（例えば、有形媒体）を備えることができる。さらに、いくつかの態様では、コンピュータ可読媒体は、一時的なコンピュータ可読媒体（例えば、信号）を備えることができる。上の組み合わせもまた、コンピュータ可読媒体の範囲内に含まれるだろう。
【００６３】
処理システム、又は処理システムのいずれかの部分は、ここに記載された機能を実行するための手段を提供することができる。例えば、コードを実行する処理システムは、装置に競合自由時間期間を割り当てるための手段を提供することができる。あるいは、コンピュータ可読媒体に関するコードは、ここに記載された機能を実行するための手段を提供することができる。受信機は、１つ又は複数の割り当てられた時間期間中に、それぞれの１つ又は複数の装置から制御通信を受信するための手段を提供することができて、それぞれの制御通信はチャネル時間要求を備えている。受信機は、割り当てられた時間期間の指示を備える通信を受信するための手段も備えることができる。送信機は、割り当てられた時間期間中に、装置に対して制御通信を送信するための手段を提供することができて、制御通信はチャネル時間要求を備えている。
【００６４】
いくつかの態様では、ここに記載された１つ又は複数の機能は、１つ又は複数の機能を実行するように構成された回路においてインプリメントされる。同様に、上で記述された手段は、手段の機能性をインプリメントするように構成された１つ又は複数の回路を備えることができる。例えば、図９は、割り当てるための回路９０４と送信するための回路９１０とを備える無線ノード９０２のある態様を示す。割り当てるための回路９０４は、装置に対して競合自由時間期間を割り当てるように構成することができる。送信するための回路９１０は、割り当てられた時間期間中に、装置に対して制御通信を送信するように構成することができて、制御通信はチャネル時間要求又はチャネル時間グラントを備える。図９で示された無線ノード９０２の態様は、送信するための回路９１０に接続され、図２に関して上で記述された、アンテナ９１６も備える。いくつかの態様では、アンテナ１０１６は省略される。いくつかの態様では、図２に示した１つ又は複数のコンポーネントは、図９に示した無線ノード９０２の態様に組み込むことができる。
【００６５】
他の例として、図１０は、受信機のための回路１０１２と送信するための回路１０１０とを備える無線ノード１００２のある態様を示す。受信するための回路１０１２は、割り当てられた時間期間の指示を備える割り当て通信を受信するように構成されることができる。送信するための回路１０１０は、割り当てられた時間期間中に、装置に対して制御通信を送信するように構成されることができて、制御通信はチャネル時間要求を備える。図１０に示された無線ノード１０１０の態様は、受信するための回路１０１２及び送信するための回路１０１０に接続され、図２に関して上で記述された、アンテナ１０１６も備える。いくつかの態様では、アンテナ１０１６は省略される。いくつかの態様では、図２に示した１つ又は複数のコンポーネントは、図１０に示した無線ノード１００２の態様に組み込むことができる。
【００６６】
特定の用途に依存するこの開示を通して表れた記載されている機能性、及び全システムに課される全設計制約をどのようにインプリメントするのが最善かを、当業者は理解するだろう。
【００６７】
ソフトウェア・モジュールの文脈中に記載されたステップのいずれかの特定の順序又はヒエラルキーが、無線ノードの例を提供するように表されていることは理解される。設計の好みに基づいて、ステップの特定の順序又はヒエラルキーが、本発明の範囲内に残っている限りは再整理され得るということは理解される。
【００６８】
前の説明は、当業者が本開示の全範囲を完全に理解できるように提供される。ここに開示された様々な構成に対する修正は、当業者には簡単にわかるだろう。したがって、請求項は、ここに記載された本開示の様々な態様に限定するように意図されているわけではないが、請求項の言語に一致する全範囲にしたがうようになり、ここで、単数の要素に対する参照は、具体的に定まっていない限り、「１つ及び１つだけ」と意味するように意図されているわけではなく、意図しているのはどちらかと言えば「１つ又は複数」である。具体的に定まっていない限り、用語「いくつかの（ｓｏｍｅ）」は１つ又は複数を指す。要素の組み合わせのうち少なくとも１つ（例えば、「Ａ、Ｂ、又はＣのうち少なくとも１つ」）を記載する請求項は、記載された要素のうち１つ又は複数（例えば、Ａ、又はＢ、又はＣ、又は任意のそれらの組み合わせ）を指す。当業者に対して知られているか、又は後に知られるようになる、この開示を通して述べられた様々な態様の要素に構造的かつ機能的に対応する全てのものは、参照によってここに特別に組み込まれ、請求項によって包含されるように意図されている。さらに、ここに開示されていないものは、そのような開示が本請求項にはっきりと記載されているかどうかに関わらず、パブリックに捧げられるように意図されている。要素が「ｍｅａｎｓ  ｆｏｒ（〜のための手段）」という語句を用いて特別に記載されない限り、米国特許法１１２条の第６段落の下で、請求項の要素はないとみなされるべきであり、あるいは、方法の請求項の場合には、要素は「ｓｔｅｐ  ｆｏｒ（〜のためのステップ）」という語句を用いて記載される。
【図１】
2013519308.tif 000003
【図２】
2013519308.tif 000004
【図３Ａ】
2013519308.tif 000005
【図３Ｂ】
2013519308.tif 000006
【図３Ｃ】
2013519308.tif 000007
【図３Ｄ】
2013519308.tif 000008
【図４】
2013519308.tif 000009
【図５】
2013519308.tif 000010
【図６】
2013519308.tif 000011
【図７】
2013519308.tif 000012
【図８】
2013519308.tif 000013
【図９】
2013519308.tif 000014
【図１０】
2013519308.tif 000015
【手続補正書】
【提出日】平成24年10月3日(2012.10.3)
【手続補正１】
【補正対象書類名】特許請求の範囲
【補正対象項目名】全文
【補正方法】変更
【補正の内容】
【特許請求の範囲】
【請求項１】
通信の方法であって、
アクセス期間を１つ又は複数の競合自由時間スロットに分割しかつ第２の装置に第１の競合自由時間スロットを割り当てることで、制御通信を受信しかつ送信するためのスケジュールを第１の装置によって決定することと、
１つ又は複数の装置に対して前記スケジュールを送信することと、
前記第１の装置によって、前記第１の競合自由時間スロット中に、前記第２の装置から、第１の制御通信を受信することと、を備え、
前記第１の制御通信はビーム方向の指示を備える、方法。
【請求項２】
前記第１の制御通信が、チャネル時間要求をさらに備える、請求項１の方法。
【請求項３】
前記第１の装置によって、前記第２の装置に第２の競合自由時間スロットを割り当てることと、
前記第１の装置によって、前記第２の競合自由時間スロット中に、前記指示されたビーム方向を用いて、前記第２の装置に対して第２の制御通信を送信することと、をさらに備え、
前記第２の制御通信はチャネル時間グラントを備える、請求項３の方法。
【請求項４】
前記指示されたビーム方向は、前記第２の装置に関して好ましいビーム方向である、請求項４の方法。
【請求項５】
前記指示されたビーム方向は、複数のビーム方向を備える、請求項４の方法。
【請求項６】
前記第２の制御通信は、少なくとも前記第２の装置に関する通信スケジュールをさらに備える、請求項４の方法。
【請求項７】
前記第１の装置によって、少なくとも前記第２の装置に対してビーコンを送信することをさらに備え、前記ビーコンは前記第１の競合自由時間スロットの指示を備える、請求項１の方法。
【請求項８】
前記第１の装置によって、少なくとも前記第２の装置に対してビーコンを送信することをさらに備え、前記ビーコンは前記第１の競合自由時間スロット及び前記第２の競合自由時間スロットの指示を備える、請求項４の方法。
【請求項９】
前記第１の制御通信は、複数のビーム方向を経由して受信される、請求項１の方法。
【請求項１０】
前記第１の装置によって、第３の装置に第３の競合自由時間スロットを割り当てることと、前記第１の装置によって、前記第３の競合自由時間スロット中に、前記第３の装置から第３の制御通信を受信することと、をさらに備え、前記第３の制御通信はチャネル時間要求を備え、前記第１の競合自由時間スロット及び前記第３の競合自由時間スロットは重なる、請求項１の方法。
【請求項１１】
前記第１の装置によって、第３の装置に第３の競合自由時間スロットを割り当てることと、前記第１の装置によって、前記第３の競合自由時間スロット中に、前記第３の装置から第３の制御通信を受信することと、をさらに備え、前記第３の制御通信はチャネル時間要求を備え、前記第１の制御通信及び前記第３の制御通信は異なるゴレイ（Ｇｏｌａｙ）符号でエンコードされる、請求項１の方法。
【請求項１２】
前記第１の装置によって、第３の装置に第３の競合自由時間スロットを割り当てることと、前記第１の装置によって、前記第３の競合自由時間スロット中に、前記第３の装置から第３の制御通信を受信することと、をさらに備え、前記第３の制御通信はチャネル時間要求を備え、前記第１の制御通信及び前記第３の制御通信は異なる拡散シーケンスで拡散される、請求項１の方法。
【請求項１３】
通信のための第１の装置であって、
アクセス期間を１つ又は複数の競合自由時間スロットに分割しかつ第２の装置に第１の競合自由時間スロットを割り当てることによって制御通信を受信しかつ送信するためのスケジュールを決定するように構成された処理システムと、
１つ又は複数の装置に対して前記スケジュールを送信するように構成された送信機と、
前記第１の競合自由時間スロット中に、前記第２の装置から第１の制御通信を受信するように構成された受信機と、を備え、
前記第１の制御通信はビーム方向の指示を備える、第１の装置。
【請求項１４】
前記第１の制御通信は、チャネル時間要求をさらに備える、請求項１３の第１の装置。
【請求項１５】
前記処理システムは前記第２の装置に第２の競合自由時間スロットを割り当てるようにさらに構成され、
前記送信機は、前記第２の競合自由時間スロット中に、前記指示されたビーム方向を用いて、前記第２の装置に対して第２の制御通信を送信するように構成され、前記第２の制御通信はチャネル時間グラントを備える、請求項１４の第１の装置。
【請求項１６】
前記指示されたビーム方向は、前記第２の装置に関して好ましいビーム方向である、請求項１５の第１の装置。
【請求項１７】
前記指示されたビーム方向は、複数のビーム方向を備える、請求項１５の第１の装置。
【請求項１８】
前記第２の制御通信は、少なくとも前記第２の装置に関する通信スケジュールをさらに備える、請求項１５の第１の装置。
【請求項１９】
前記送信機は、少なくとも前記第２の装置に対してビーコンを送信するようにさらに構成され、前記ビーコンは前記第１の競合自由時間スロットの指示を備える、請求項１３の第１の装置。
【請求項２０】
前記送信機は、少なくとも前記第２の装置に対してビーコンを送信するようにさらに構成され、前記ビーコンは前記第１の競合自由時間スロット及び前記第２の競合自由時間スロットの指示を備える、請求項１５の第１の装置。
【請求項２１】
前記第１の制御通信は、複数のビーム方向を経由して受信される、請求項１３の第１の装置。
【請求項２２】
前記処理システムは第３の装置に第３の競合自由時間スロットを割り当てるようにさらに構成され、前記受信機は前記第３の競合自由時間スロット中に前記第３の装置から第３の制御通信を受信するように構成され、前記第３の制御通信はチャネル時間要求を備え、前記第１の競合自由時間スロット及び前記第３の競合自由時間スロットは重なる、請求項１３の第１の装置。
【請求項２３】
前記処理システムは第３の装置に第３の競合自由時間スロットを割り当てるようにさらに構成され、前記受信機は前記第３の競合自由時間スロット中に前記第３の装置から第３の制御通信を受信するようにさらに構成され、前記第３の制御通信はチャネル時間要求を備え、前記第１の制御通信及び前記第３の制御通信は異なるゴレイ（Ｇｏｌａｙ）符号でエンコードされる、請求項１３の第１の装置。
【請求項２４】
前記処理システムは第３の装置に第３の競合自由時間スロットを割り当てるようにさらに構成され、前記受信機は前記第３の競合自由時間スロット中に前記第３の装置から第３の制御通信を受信するようにさらに構成され、前記第３の制御通信はチャネル時間要求を備え、前記第１の制御通信及び前記第３の制御通信は異なる拡散シーケンスで拡散される、請求項１３の第１の装置。
【請求項２５】
通信のための第１の装置であって、
アクセス期間を１つ又は複数の競合自由時間スロットに分割しかつ第２の装置に第１の競合自由時間スロットを割り当てることによって制御通信を受信しかつ送信するためのスケジュールを決定するための手段と、
１つ又は複数の装置に対して前記スケジュールを送信するための手段と、
前記第１の競合自由時間スロット中に、前記第２の装置から第１の制御通信を受信するための手段と、を備え、
前記第１の制御通信はビーム方向の指示を備える、第１の装置。
【請求項２６】
前記第１の制御通信が、チャネル時間要求をさらに備える、請求項２５の第１の装置。
【請求項２７】
前記割り当てるための手段は、前記第２の装置に第２の競合自由時間スロットを割り当てるように構成され、前記第２の競合自由時間スロット中に前記指示されたビーム方向を用いて前記第２の装置に対して第２の制御通信を送信するための手段をさらに備え、前記第２の制御通信は、チャネル時間グラントを備える、請求項２６の第１の装置。
【請求項２８】
前記指示されたビーム方向は、前記第２の装置に関して好ましいビーム方向である、請求項２７の第１の装置。
【請求項２９】
前記指示されたビーム方向は、複数のビーム方向を備える、請求項２７の第１の装置。
【請求項３０】
前記第２の制御通信は、少なくとも前記第２の装置に関する通信スケジュールをさらに備える、請求項２７の第１の装置。
【請求項３１】
少なくとも前記第２の装置に対してビーコンを送信するための手段をさらに備え、前記ビーコンは前記第１の競合自由時間スロットの指示を備える、請求項２５の第１の装置。
【請求項３２】
前記送信するための手段は、少なくとも前記第２の装置に対してビーコンを送信するように構成され、前記ビーコンは前記第１の競合自由時間スロット及び前記第２の競合自由時間スロットの指示を備える、請求項２７の第１の装置。
【請求項３３】
前記制御通信は、複数のビーム方向を経由して受信される、請求項２７の第１の装置。
【請求項３４】
前記割り当てるための手段は第３の装置に第３の競合自由時間スロットを割り当てるように構成され、前記受信するための手段は前記第３の競合自由時間スロット中に前記第３の装置から第３の制御通信を受信するように構成され、前記第３の制御通信はチャネル時間要求を備え、前記第１の競合自由時間スロット及び前記第３の競合自由時間スロットは重なる、請求項２５の第１の装置。
【請求項３５】
前記割り当てるための手段は第３の装置に第３の競合自由時間スロットを割り当てるように構成され、前記受信するための手段は前記第３の競合自由時間スロット中に前記第３の装置から第３の制御通信を受信するように構成され、前記第３の制御通信はチャネル時間要求を備え、前記第１の制御通信及び前記第３の制御通信は異なるゴレイ（Ｇｏｌａｙ）符号でエンコードされる、請求項２５の第１の装置。
【請求項３６】
前記割り当てるための手段は第３の装置に第３の競合自由時間スロットを割り当てるように構成され、前記受信するための手段は前記第３の競合自由時間スロット中に前記第３の装置から第３の制御通信を受信するように構成され、前記第３の制御通信はチャネル時間要求を備え、前記第１の制御通信及び前記第３の制御通信は異なる拡散シーケンスで拡散される、請求項２５の第１の装置。
【請求項３７】
実行されたときに第１の装置が、
アクセス期間を１つ又は複数の競合自由時間スロットに分割しかつ第２の装置に競合自由時間スロットを割り当てることによって制御通信を受信しかつ送信するためのスケジュールを決定し、
１つ又は複数の装置に対して前記スケジュールを送信し、
前記競合自由時間スロット中に、前記第２の装置から制御通信を受信する、
ようにさせる命令を備えるコンピュータ可読媒体を備え、
前記制御通信はビーム方向の指示を備える、通信のためのコンピュータ・プログラム製品。
【請求項３８】
アクセス期間を１つ又は複数の競合自由時間スロットに分割しかつ装置に競合自由時間スロットを割り当てることによって制御通信を受信しかつ送信するためのスケジュールを決定するように構成された処理システムと、
１つ又は複数の装置に対して前記スケジュールを送信するように構成された送信機と、
少なくとも１つのアンテナと、
前記少なくとも１つのアンテナを経由して前記競合自由時間スロット中に前記装置から制御通信を受信するように構成された受信機と、を備え、前記制御通信はビーム方向の指示を備える、アクセス・ポイント。
【請求項３９】
通信の方法であって、
第１の装置によって第２の装置から、アクセス期間中の第１の競合自由時間スロットの指示を備える割り当て通信を受信することと、
前記第１の装置によって前記第１の競合自由時間スロット中に前記第２の装置に対して第１の制御通信を送信することと、を備え、
前記第１の制御通信はビーム方向の指示を備える、方法。
【請求項４０】
前記第１の制御通信が、チャネル時間要求をさらに備える、請求項３９の方法。
【請求項４１】
前記割り当て通信は、第２の競合自由時間スロットの指示をさらに備え、前記第１の装置によって前記第２の競合自由時間スロット中に前記指示されたビーム方向で前記第２の装置から第２の制御通信を受信することをさらに備え、前記第２の制御通信はチャネル時間グラントを備える、請求項３９の方法。
【請求項４２】
前記指示されたビーム方向は、前記第１の装置の好ましいビーム方向である、請求項４１の方法。
【請求項４３】
前記指示されたビーム方向は、複数のビーム方向を備える、請求項４１の方法。
【請求項４４】
前記第２の制御通信は、少なくとも前記第１の装置に関する通信スケジュールをさらに備える、請求項４１の方法。
【請求項４５】
前記割り当て通信は、ビーコン信号を備える、請求項３９の方法。
【請求項４６】
前記第１の制御通信は、複数のビーム方向を経由して送信される、請求項３９の方法。
【請求項４７】
通信のための第１の装置であって、
アクセス期間中の第１の競合自由時間スロットの指示を備える第２の装置から割り当て通信を受信するように構成された受信機と、
前記第１の競合自由時間スロット中に前記第２の装置に対して第１の制御通信を送信するように構成された送信機と、を備え、
前記第１の制御通信はビーム方向の指示を備える、第１の装置。
【請求項４８】
前記第１の制御通信が、チャネル時間要求をさらに備える、請求項４７の第１の装置。
【請求項４９】
前記割り当て通信は、第２の競合自由時間スロットの指示をさらに備え、前記受信機は前記第２の競合自由時間スロット中に前記指示されたビーム方向で前記第２の装置から第２の制御通信を受信するように構成され、前記第２の制御通信はチャネル時間グラントを備える、請求項４７の第１の装置。
【請求項５０】
前記指示されたビーム方向は、前記第１の装置の好ましいビーム方向である、請求項４９の第１の装置。
【請求項５１】
前記指示されたビーム方向は、複数のビーム方向を備える、請求項４９の第１の装置。
【請求項５２】
前記第２の制御通信は、少なくとも前記第１の装置の通信スケジュールをさらに備える、請求項４９の第１の装置。
【請求項５３】
前記割り当て通信は、ビーコン信号を備える、請求項４７の第１の装置。
【請求項５４】
前記第１の制御通信は、複数のビーム方向を経由して送信される、請求項４７の第１の装置。
【請求項５５】
通信のための第１の装置であって、
アクセス期間中の第１の競合自由時間スロットの指示を備える第２の装置から割り当て通信を受信するための手段と、
前記第１の競合自由時間スロット中に前記第２の装置に対して第１の制御通信を送信するための手段と、を備え、
前記第１の制御通信はビーム方向の指示を備える、第１の装置。
【請求項５６】
前記第１の制御通信が、チャネル時間要求をさらに備える、請求項５５の第１の装置。
【請求項５７】
前記割り当て通信は、第２の競合自由時間スロットの指示をさらに備え、前記受信するための手段は前記第２の競合自由時間スロット中に前記指示されたビーム方向で前記第２の装置から第２の制御通信を受信するように構成され、前記第２の制御通信はチャネル時間グラントを備える、請求項５５の第１の装置。
【請求項５８】
前記指示されたビーム方向は、前記第１の装置の好ましいビーム方向である、請求項５７の第１の装置。
【請求項５９】
前記指示されたビーム方向は、複数のビーム方向を備える、請求項５７の第１の装置。
【請求項６０】
前記第２の制御通信は、少なくとも前記第１の装置の通信スケジュールをさらに備える、請求項５７の第１の装置。
【請求項６１】
前記割り当て通信は、ビーコン信号を備える、請求項５５の第１の装置。
【請求項６２】
前記第１の制御通信は、複数のビーム方向を経由して送信される、請求項５５の第１の装置。
【請求項６３】
実行されたときに第１の装置が、
第２の装置からアクセス期間中の第１の競合自由時間スロットの指示を備える割り当て通信を受信し、
前記第１の競合自由時間スロット中に前記第２の装置に対して第１の制御通信を送信するようにさせる命令を備えるコンピュータ可読媒体を備え、
前記第１の制御通信はビーム方向の指示を備える、通信のためのコンピュータ・プログラム製品。
【請求項６４】
少なくとも１つのアンテナと、
前記少なくとも１つのアンテナを経由してアクセス期間中の第１の競合自由時間スロットの指示を備える割り当て通信を受信するように構成された受信機と、
前記少なくとも１つのアンテナを経由して前記第１の競合自由時間スロット中に装置に対して制御通信を送信するように構成された送信機と、を備え、
前記制御通信はビーム方向の指示を備える、携帯電話。
【手続補正２】
【補正対象書類名】明細書
【補正対象項目名】００６８
【補正方法】変更
【補正の内容】
【００６８】
前の説明は、当業者が本開示の全範囲を完全に理解できるように提供される。ここに開示された様々な構成に対する修正は、当業者には簡単にわかるだろう。したがって、請求項は、ここに記載された本開示の様々な態様に限定するように意図されているわけではないが、請求項の言語に一致する全範囲にしたがうようになり、ここで、単数の要素に対する参照は、具体的に定まっていない限り、「１つ及び１つだけ」と意味するように意図されているわけではなく、意図しているのはどちらかと言えば「１つ又は複数」である。具体的に定まっていない限り、用語「いくつかの（ｓｏｍｅ）」は１つ又は複数を指す。要素の組み合わせのうち少なくとも１つ（例えば、「Ａ、Ｂ、又はＣのうち少なくとも１つ」）を記載する請求項は、記載された要素のうち１つ又は複数（例えば、Ａ、又はＢ、又はＣ、又は任意のそれらの組み合わせ）を指す。当業者に対して知られているか、又は後に知られるようになる、この開示を通して述べられた様々な態様の要素に構造的かつ機能的に対応する全てのものは、参照によってここに特別に組み込まれ、請求項によって包含されるように意図されている。さらに、ここに開示されていないものは、そのような開示が本請求項にはっきりと記載されているかどうかに関わらず、パブリックに捧げられるように意図されている。要素が「ｍｅａｎｓ  ｆｏｒ（〜のための手段）」という語句を用いて特別に記載されない限り、米国特許法１１２条の第６段落の下で、請求項の要素はないとみなされるべきであり、あるいは、方法の請求項の場合には、要素は「ｓｔｅｐ  ｆｏｒ（〜のためのステップ）」という語句を用いて記載される。
以下に本件出願当初の特許請求の範囲に記載された発明を付記する。
［１］通信の方法であって、
第１の装置によって、第２の装置に第１の競合自由時間期間を割り当てることと、
前記第１の装置によって、前記第１の競合自由時間期間中に、前記第２の装置から第１の制御通信を受信することと、を備え、
前記第１の制御通信はチャネル時間要求を備える、方法。
［２］前記第１の競合自由時間期間を割り当てる前に、前記第１の装置によって、前記第２の装置からビーム方向の指示を受信することをさらに備え、前記第１の制御通信は、前記指示されたビーム方向で受信される、［１］の方法。
［３］前記第１の制御通信が、ビーム方向の指示をさらに備える、［１］の方法。
［４］前記第１の装置によって、前記第２の装置に第２の競合自由時間期間を割り当てることと、
前記第１の装置によって、前記第２の競合自由時間期間中に、前記指示されたビーム方向を用いて、前記第２の装置に対して第２の制御通信を送信することと、をさらに備え、
前記第２の制御通信はチャネル時間グラントを備える、［３］の方法。
［５］前記指示されたビーム方向は、前記第２の装置に関して好ましいビーム方向である、［４］の方法。
［６］前記指示されたビーム方向は、複数のビーム方向を備える、［４］の方法。
［７］前記第２の制御通信は、少なくとも前記第２の装置に関する通信スケジュールをさらに備える、［４］の方法。
［８］前記第１の装置によって、少なくとも前記第２の装置に対してビーコンを送信することをさらに備え、前記ビーコンは前記第１の競合自由時間期間の指示を備える、［１］の方法。
［９］前記第１の装置によって、少なくとも前記第２の装置に対してビーコンを送信することをさらに備え、前記ビーコンは前記第１の競合自由時間期間及び前記第２の競合自由時間期間の指示を備える、［４］の方法。
［１０］前記第１の制御通信は、複数のビーム方向を経由して受信される、［１］の方法。
［１１］前記第１の装置によって、第３の装置に第３の競合自由時間期間を割り当てることと、前記第１の装置によって、前記第３の競合自由時間期間中に、前記第３の装置から第３の制御通信を受信することと、をさらに備え、前記第３の制御通信はチャネル時間要求を備え、前記第１の競合自由時間期間及び前記第３の競合自由時間期間は重なる、［１］の方法。
［１２］前記第１の装置によって、第３の装置に第３の競合自由時間期間を割り当てることと、前記第１の装置によって、前記第３の競合自由時間期間中に、前記第３の装置から第３の制御通信を受信することと、をさらに備え、前記第３の制御通信はチャネル時間要求を備え、前記第１の制御通信及び前記第３の制御通信は異なるゴレイ（Ｇｏｌａｙ）符号でエンコードされる、［１］の方法。
［１３］前記第１の装置によって、第３の装置に第３の競合自由時間期間を割り当てることと、前記第１の装置によって、前記第３の競合自由時間期間中に、前記第３の装置から第３の制御通信を受信することと、をさらに備え、前記第３の制御通信はチャネル時間要求を備え、前記第１の制御通信及び前記第３の制御通信は異なる拡散シーケンスで拡散される、［１］の方法。
［１４］通信のための第１の装置であって、
第２の装置に第１の競合自由時間期間を割り当てるように構成された処理システムと、
前記第１の競合自由時間期間中に、前記第２の装置から第１の制御通信を受信するように構成された受信機と、を備え、
前記第１の制御通信はチャネル時間要求を備える、第１の装置。
［１５］前記受信機は、前記処理システムが前記第１の競合自由時間期間を割り当てるよりも前に前記第２の装置からビーム方向の指示を受信するようにさらに構成され、前記第１の制御通信は前記指示されたビーム方向で受信される、［１４］の第１の装置。
［１６］前記第１の制御通信は、ビーム方向の指示をさらに備える、［１４］の第１の装置。
［１７］送信機、をさらに備え、
前記処理システムは前記第２の装置に第２の競合自由時間期間を割り当てるようにさらに構成され、
前記送信機は、前記第２の競合自由時間期間中に、前記指示されたビーム方向を用いて、前記第２の装置に対して第２の制御通信を送信するように構成され、前記第２の制御通信はチャネル時間グラントを備える、［１６］の第１の装置。
［１８］前記指示されたビーム方向は、前記第２の装置に関して好ましいビーム方向である、［１７］の第１の装置。
［１９］前記指示されたビーム方向は、複数のビーム方向を備える、［１７］の第１の装置。
［２０］前記第２の制御通信は、少なくとも前記第２の装置に関する通信スケジュールをさらに備える、［１７］の第１の装置。
［２１］前記送信機は、少なくとも前記第２の装置に対してビーコンを送信するようにさらに構成され、前記ビーコンは前記第１の競合自由時間期間の指示を備える、［１４］の第１の装置。
［２２］前記送信機は、少なくとも前記第２の装置に対してビーコンを送信するようにさらに構成され、前記ビーコンは前記第１の競合自由時間期間及び前記第２の競合自由時間期間の指示を備える、［１７］の第１の装置。
［２３］前記第１の制御通信は、複数のビーム方向を経由して受信される、［１４］の第１の装置。
［２４］前記処理システムは第３の装置に第３の競合自由時間期間を割り当てるようにさらに構成され、前記受信機は前記第３の競合自由時間期間中に前記第３の装置から第３の制御通信を受信するように構成され、前記第３の制御通信はチャネル時間要求を備え、前記第１の競合自由時間期間及び前記第３の競合自由時間期間は重なる、［１４］の第１の装置。
［２５］前記処理システムは第３の装置に第３の競合自由時間期間を割り当てるようにさらに構成され、前記受信機は前記第３の競合自由時間期間中に前記第３の装置から第３の制御通信を受信するようにさらに構成され、前記第３の制御通信はチャネル時間要求を備え、前記第１の制御通信及び前記第３の制御通信は異なるゴレイ（Ｇｏｌａｙ）符号でエンコードされる、［１４］の第１の装置。
［２６］前記処理システムは第３の装置に第３の競合自由時間期間を割り当てるようにさらに構成され、前記受信機は前記第３の競合自由時間期間中に前記第３の装置から第３の制御通信を受信するようにさらに構成され、前記第３の制御通信はチャネル時間要求を備え、前記第１の制御通信及び前記第３の制御通信は異なる拡散シーケンスで拡散される、［１４］の第１の装置。
［２７］通信のための第１の装置であって、
第２の装置に第１の競合自由時間期間を割り当てるための手段と、
前記第１の競合自由時間期間中に、前記第２の装置から第１の制御通信を受信するための手段と、を備え、
前記第１の制御通信はチャネル時間要求を備える、第１の装置。
［２８］前記受信するための手段は、前記割り当てるための手段が前記第１の競合自由時間期間を割り当てるよりも前に、前記第２の装置からビーム方向の指示を受信し、前記第１の制御通信は前記指示されたビーム方向で受信される、［２７］の第１の装置。
［２９］前記第１の制御通信が、ビーム方向の指示をさらに備える、［２７］の第１の装置。
［３０］前記割り当てるための手段が前記第２の装置に第２の競合自由時間期間を割り当てるように構成され、前記第２の競合自由時間期間中に前記指示されたビーム方向を用いて前記第２の装置に対して第２の制御通信を送信するための手段をさらに備え、前記第２の制御通信はチャネル時間グラントを備える、［２９］の第１の装置。
［３１］前記指示されたビーム方向は前記第２の装置に関して好ましいビーム方向である、［３０］の第１の装置。
［３２］前記指示されたビーム方向は複数のビーム方向を備える、［３０］の第１の装置。
［３３］前記第２の制御通信は、少なくとも前記第２の装置に関する通信スケジュールをさらに備える、［３０］の第１の装置。
［３４］少なくとも前記第２の装置に対してビーコンを送信するための手段をさらに備え、前記ビーコンは前記第１の競合自由時間期間の指示を備える、［２７］の第１の装置。
［３５］前記送信するための手段は、少なくとも前記第２の装置に対してビーコンを送信するように構成され、前記ビーコンは前記第１の競合自由時間期間及び前記第２の競合自由時間期間の指示を備える、［３０］の第１の装置。
［３６］前記制御通信は、複数のビーム方向を経由して受信される、［３０］の第１の装置。
［３７］前記割り当てるための手段は第３の装置に第３の競合自由時間期間を割り当てるように構成され、前記受信するための手段は前記第３の競合自由時間期間中に前記第３の装置から第３の制御通信を受信するように構成され、前記第３の制御通信はチャネル時間要求を備え、前記第１の競合自由時間期間及び前記第３の競合自由時間期間は重なる、［２７］の第１の装置。
［３８］前記割り当てるための手段は第３の装置に第３の競合自由時間期間を割り当てるように構成され、前記受信するための手段は前記第３の競合自由時間期間中に前記第３の装置から第３の制御通信を受信するように構成され、前記第３の制御通信はチャネル時間要求を備え、前記第１の制御通信及び前記第３の制御通信は異なるゴレイ符号でエンコードされる、［２７］の第１の装置。
［３９］前記割り当てるための手段は第３の装置に第３の競合自由時間期間を割り当てるように構成され、前記受信するための手段は前記第３の競合自由時間期間中に前記第３の装置から第３の制御通信を受信するように構成され、前記第３の制御通信はチャネル時間要求を備え、前記第１の制御通信及び前記第３の制御通信は異なる拡散シーケンスで拡散される、［２７］の第１の装置。
［４０］実行されたときに第１の装置に、
第２の装置に競合自由時間期間を割り当てさせ、
前記競合自由時間期間中に、前記第２の装置から制御通信を受信させる、
命令を備えるコンピュータ可読媒体を備え、
前記制御通信はチャネル時間要求を備える、通信のためのコンピュータ・プログラム製品。
［４１］装置に競合自由時間期間を割り当てるように構成された処理システムと、
少なくとも１つのアンテナと、
前記少なくとも１つのアンテナを経由して前記競合自由時間期間中に前記装置から制御通信を受信するように構成された受信機と、を備え、前記制御通信はチャネル時間要求を備える、アクセス・ポイント。
［４２］通信の方法であって、
第１の装置によって、第２の装置から第１の競合自由時間期間の指示を備える割り当て通信を受信することと、
前記第１の装置によって、前記第１の競合自由時間期間中に前記第２の装置に対して第１の制御通信を送信することと、を備え、
前記第１の制御通信はチャネル時間要求を備える、方法。
［４３］前記割り当て通信を受信することよりも前に、前記第１の装置によって前記第２の装置に対してビーム方向の指示を送信することをさらに備え、前記第１の制御通信は前記指示されたビーム方向に送信される、［４２］の方法。
［４４］前記第１の制御通信が、ビーム方向の指示をさらに備える、［４２］の方法。
［４５］前記割り当て通信は、第２の競合自由時間期間の指示をさらに備え、前記第１の装置によって前記第２の競合自由時間期間中に前記指示されたビーム方向に前記第２の装置から第２の制御通信を受信することをさらに備え、前記第２の制御通信はチャネル時間グラントを備える、［４２］の方法。
［４６］前記指示されたビーム方向は、前記第１の装置の好ましいビーム方向である、［４５］の方法。
［４７］前記指示されたビーム方向は、複数のビーム方向を備える、［４５］の方法。
［４８］前記第２の制御通信は、少なくとも前記第１の装置に関する通信スケジュールをさらに備える、［４５］の方法。
［４９］前記割り当て通信はビーコン信号を備える、［４２］の方法。
［５０］前記第１の制御通信は、複数のビーム方向を経由して送信される、［４２］の方法。
［５１］通信のための第１の装置であって、
第１の競合自由時間期間の指示を備える第２の装置から割り当て通信を受信するように構成された受信機と、
前記第１の競合自由時間期間中に前記第２の装置に対して第１の制御通信を送信するように構成された送信機と、を備え、
前記第１の制御通信はチャネル時間要求を備える、第１の装置。
［５２］前記受信機が前記割り当て通信を受信するよりも前に、前記送信機が前記第２の装置に対してビーム方向の指示を送信するようにさらに構成され、前記第１の制御通信は前記指示されたビーム方向に送信される、［５１］の第１の装置。
［５３］前記第１の制御通信が、ビーム方向の指示をさらに備える、［５１］の第１の装置。
［５４］前記割り当て通信は、第２の競合自由時間期間の指示をさらに備え、前記受信機は前記第２の競合自由時間期間中に前記指示されたビーム方向で前記第２の装置から第２の制御通信を受信するように構成され、前記第２の制御通信はチャネル時間グラントを備える、［５１］の第１の装置。
［５５］前記指示されたビーム方向は、前記第１の装置の好ましいビーム方向である、［５４］の第１の装置。
［５６］前記指示されたビーム方向は、複数のビーム方向を備える、［５４］の第１の装置。
［５７］前記第２の制御通信は、少なくとも前記第１の装置の通信スケジュールをさらに備える、［５４］の第１の装置。
［５８］前記割り当て通信は、ビーコン信号を備える、［５１］の第１の装置。
［５９］前記第１の制御通信は、複数のビーム方向を経由して送信される、［５１］の第１の装置。
［６０］通信のための第１の装置であって、
第１の競合自由時間期間の指示を備える第２の装置から割り当て通信を受信するための手段と、
前記第１の競合自由時間期間中に前記第２の装置に対して第１の制御通信を送信するための手段と、を備え、
前記第１の制御通信はチャネル時間要求を備える、第１の装置。
［６１］前記受信するための手段が前記割り当て通信を受信するよりも前に、前記送信するための手段が前記第２の装置に対してビーム方向の指示を送信するように構成され、前記第１の制御通信は前記指示されたビーム方向に送信される、［６０］の第１の装置。
［６２］前記第１の制御通信が、ビーム方向の指示をさらに備える、［６０］の第１の装置。
［６３］前記割り当て通信は、第２の競合自由時間期間の指示をさらに備え、前記受信するための手段は前記第２の競合自由時間期間中に前記指示されたビーム方向で前記第２の装置から第２の制御通信を受信するように構成され、前記第２の制御通信はチャネル時間グラントを備える、［６０］の第１の装置。
［６４］前記指示されたビーム方向は、前記第１の装置の好ましいビーム方向である、［６３］の第１の装置。
［６５］前記指示されたビーム方向は、複数のビーム方向を備える、［６３］の第１の装置。
［６６］前記第２の制御通信は、少なくとも前記第１の装置の通信スケジュールをさらに備える、［６３］の第１の装置。
［６７］前記割り当て通信は、ビーコン信号を備える、［６０］の第１の装置。
［６８］前記第１の制御通信は、複数のビーム方向を経由して送信される、［６０］の第１の装置。
［６９］実行されたときに第１の装置に、
第２の装置から第１の競合自由時間期間の指示を備える割り当て通信を受信させ、
前記第１の競合自由時間期間中に前記第２の装置に対して第１の制御通信を送信させる命令を備えるコンピュータ可読媒体を備え、
前記第１の制御通信はチャネル時間要求を備える、通信のためのコンピュータ・プログラム製品。
［７０］少なくとも１つのアンテナと、
前記少なくとも１つのアンテナを経由して第１の競合自由時間期間の指示を備える割り当て通信を受信するように構成された受信機と、
前記少なくとも１つのアンテナを経由して前記第１の競合自由時間期間中に装置に対して制御通信を送信するように構成された送信機と、を備え、
前記制御通信はチャネル時間要求を備える、携帯電話。
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
通信の方法であって、
アクセス期間を１つ又は複数の競合自由時間スロットに分割しかつ第２の装置に第１の競合自由時間スロットを割り当てることで、制御通信を受信しかつ送信するためのスケジュールを第１の装置によって決定することと、
１つ又は複数の装置に対して前記スケジュールを送信することと、
前記第１の装置によって、前記第１の競合自由時間スロット中に、前記第２の装置から、第１の制御通信を受信することと、を備え、
前記第１の制御通信はビーム方向の指示を備える、方法。
【請求項２】
前記第１の制御通信が、チャネル時間要求をさらに備える、請求項１の方法。
【請求項３】
前記第１の装置によって、前記第２の装置に第２の競合自由時間スロットを割り当てることと、
前記第１の装置によって、前記第２の競合自由時間スロット中に、前記指示されたビーム方向を用いて、前記第２の装置に対して第２の制御通信を送信することと、をさらに備え、
前記第２の制御通信はチャネル時間グラントを備える、請求項２の方法。
【請求項４】
前記指示されたビーム方向は、前記第２の装置に関して好ましいビーム方向である、請求項３の方法。
【請求項５】
前記指示されたビーム方向は、複数のビーム方向を備える、請求項３の方法。
【請求項６】
前記第２の制御通信は、少なくとも前記第２の装置に関する通信スケジュールをさらに備える、請求項３の方法。
【請求項７】
前記第１の装置によって、少なくとも前記第２の装置に対してビーコンを送信することをさらに備え、前記ビーコンは前記第１の競合自由時間スロットの指示を備える、請求項１の方法。
【請求項８】
前記第１の装置によって、少なくとも前記第２の装置に対してビーコンを送信することをさらに備え、前記ビーコンは前記第１の競合自由時間スロット及び前記第２の競合自由時間スロットの指示を備える、請求項３の方法。
【請求項９】
前記第１の制御通信は、複数のビーム方向を経由して受信される、請求項１の方法。
【請求項１０】
前記第１の装置によって、第３の装置に第３の競合自由時間スロットを割り当てることと、前記第１の装置によって、前記第３の競合自由時間スロット中に、前記第３の装置から第３の制御通信を受信することと、をさらに備え、前記第３の制御通信はチャネル時間要求を備え、前記第１の競合自由時間スロット及び前記第３の競合自由時間スロットは重なる、請求項１の方法。
【請求項１１】
前記第１の装置によって、第３の装置に第３の競合自由時間スロットを割り当てることと、前記第１の装置によって、前記第３の競合自由時間スロット中に、前記第３の装置から第３の制御通信を受信することと、をさらに備え、前記第３の制御通信はチャネル時間要求を備え、前記第１の制御通信及び前記第３の制御通信は異なるゴレイ（Ｇｏｌａｙ）符号でエンコードされる、請求項１の方法。
【請求項１２】
前記第１の装置によって、第３の装置に第３の競合自由時間スロットを割り当てることと、前記第１の装置によって、前記第３の競合自由時間スロット中に、前記第３の装置から第３の制御通信を受信することと、をさらに備え、前記第３の制御通信はチャネル時間要求を備え、前記第１の制御通信及び前記第３の制御通信は異なる拡散シーケンスで拡散される、請求項１の方法。
【請求項１３】
通信のための第１の装置であって、
アクセス期間を１つ又は複数の競合自由時間スロットに分割しかつ第２の装置に第１の競合自由時間スロットを割り当てることによって制御通信を受信しかつ送信するためのスケジュールを決定するように構成された処理システムと、
１つ又は複数の装置に対して前記スケジュールを送信するように構成された送信機と、
前記第１の競合自由時間スロット中に、前記第２の装置から第１の制御通信を受信するように構成された受信機と、を備え、
前記第１の制御通信はビーム方向の指示を備える、第１の装置。
【請求項１４】
前記第１の制御通信は、チャネル時間要求をさらに備える、請求項１３の第１の装置。
【請求項１５】
前記処理システムは前記第２の装置に第２の競合自由時間スロットを割り当てるようにさらに構成され、
前記送信機は、前記第２の競合自由時間スロット中に、前記指示されたビーム方向を用いて、前記第２の装置に対して第２の制御通信を送信するように構成され、前記第２の制御通信はチャネル時間グラントを備える、請求項１４の第１の装置。
【請求項１６】
前記指示されたビーム方向は、前記第２の装置に関して好ましいビーム方向である、請求項１５の第１の装置。
【請求項１７】
前記指示されたビーム方向は、複数のビーム方向を備える、請求項１５の第１の装置。
【請求項１８】
前記第２の制御通信は、少なくとも前記第２の装置に関する通信スケジュールをさらに備える、請求項１５の第１の装置。
【請求項１９】
前記送信機は、少なくとも前記第２の装置に対してビーコンを送信するようにさらに構成され、前記ビーコンは前記第１の競合自由時間スロットの指示を備える、請求項１３の第１の装置。
【請求項２０】
前記送信機は、少なくとも前記第２の装置に対してビーコンを送信するようにさらに構成され、前記ビーコンは前記第１の競合自由時間スロット及び前記第２の競合自由時間スロットの指示を備える、請求項１５の第１の装置。
【請求項２１】
前記第１の制御通信は、複数のビーム方向を経由して受信される、請求項１３の第１の装置。
【請求項２２】
前記処理システムは第３の装置に第３の競合自由時間スロットを割り当てるようにさらに構成され、前記受信機は前記第３の競合自由時間スロット中に前記第３の装置から第３の制御通信を受信するように構成され、前記第３の制御通信はチャネル時間要求を備え、前記第１の競合自由時間スロット及び前記第３の競合自由時間スロットは重なる、請求項１３の第１の装置。
【請求項２３】
前記処理システムは第３の装置に第３の競合自由時間スロットを割り当てるようにさらに構成され、前記受信機は前記第３の競合自由時間スロット中に前記第３の装置から第３の制御通信を受信するようにさらに構成され、前記第３の制御通信はチャネル時間要求を備え、前記第１の制御通信及び前記第３の制御通信は異なるゴレイ（Ｇｏｌａｙ）符号でエンコードされる、請求項１３の第１の装置。
【請求項２４】
前記処理システムは第３の装置に第３の競合自由時間スロットを割り当てるようにさらに構成され、前記受信機は前記第３の競合自由時間スロット中に前記第３の装置から第３の制御通信を受信するようにさらに構成され、前記第３の制御通信はチャネル時間要求を備え、前記第１の制御通信及び前記第３の制御通信は異なる拡散シーケンスで拡散される、請求項１３の第１の装置。
【請求項２５】
通信のための第１の装置であって、
アクセス期間を１つ又は複数の競合自由時間スロットに分割しかつ第２の装置に第１の競合自由時間スロットを割り当てることによって制御通信を受信しかつ送信するためのスケジュールを決定するための手段と、
１つ又は複数の装置に対して前記スケジュールを送信するための手段と、
前記第１の競合自由時間スロット中に、前記第２の装置から第１の制御通信を受信するための手段と、を備え、
前記第１の制御通信はビーム方向の指示を備える、第１の装置。
【請求項２６】
前記第１の制御通信が、チャネル時間要求をさらに備える、請求項２５の第１の装置。
【請求項２７】
前記割り当てるための手段は、前記第２の装置に第２の競合自由時間スロットを割り当てるように構成され、前記第２の競合自由時間スロット中に前記指示されたビーム方向を用いて前記第２の装置に対して第２の制御通信を送信するための手段をさらに備え、前記第２の制御通信は、チャネル時間グラントを備える、請求項２６の第１の装置。
【請求項２８】
前記指示されたビーム方向は、前記第２の装置に関して好ましいビーム方向である、請求項２７の第１の装置。
【請求項２９】
前記指示されたビーム方向は、複数のビーム方向を備える、請求項２７の第１の装置。
【請求項３０】
前記第２の制御通信は、少なくとも前記第２の装置に関する通信スケジュールをさらに備える、請求項２７の第１の装置。
【請求項３１】
少なくとも前記第２の装置に対してビーコンを送信するための手段をさらに備え、前記ビーコンは前記第１の競合自由時間スロットの指示を備える、請求項２５の第１の装置。
【請求項３２】
前記送信するための手段は、少なくとも前記第２の装置に対してビーコンを送信するように構成され、前記ビーコンは前記第１の競合自由時間スロット及び前記第２の競合自由時間スロットの指示を備える、請求項２７の第１の装置。
【請求項３３】
前記制御通信は、複数のビーム方向を経由して受信される、請求項２７の第１の装置。
【請求項３４】
前記割り当てるための手段は第３の装置に第３の競合自由時間スロットを割り当てるように構成され、前記受信するための手段は前記第３の競合自由時間スロット中に前記第３の装置から第３の制御通信を受信するように構成され、前記第３の制御通信はチャネル時間要求を備え、前記第１の競合自由時間スロット及び前記第３の競合自由時間スロットは重なる、請求項２５の第１の装置。
【請求項３５】
前記割り当てるための手段は第３の装置に第３の競合自由時間スロットを割り当てるように構成され、前記受信するための手段は前記第３の競合自由時間スロット中に前記第３の装置から第３の制御通信を受信するように構成され、前記第３の制御通信はチャネル時間要求を備え、前記第１の制御通信及び前記第３の制御通信は異なるゴレイ（Ｇｏｌａｙ）符号でエンコードされる、請求項２５の第１の装置。
【請求項３６】
前記割り当てるための手段は第３の装置に第３の競合自由時間スロットを割り当てるように構成され、前記受信するための手段は前記第３の競合自由時間スロット中に前記第３の装置から第３の制御通信を受信するように構成され、前記第３の制御通信はチャネル時間要求を備え、前記第１の制御通信及び前記第３の制御通信は異なる拡散シーケンスで拡散される、請求項２５の第１の装置。
【請求項３７】
実行されたときに第１の装置が、
アクセス期間を１つ又は複数の競合自由時間スロットに分割しかつ第２の装置に競合自由時間スロットを割り当てることによって制御通信を受信しかつ送信するためのスケジュールを決定し、
１つ又は複数の装置に対して前記スケジュールを送信し、
前記競合自由時間スロット中に、前記第２の装置から制御通信を受信する、
ようにさせる命令を備えるコンピュータ可読媒体を備え、
前記制御通信はビーム方向の指示を備える、通信のためのコンピュータ・プログラム製品。
【請求項３８】
アクセス期間を１つ又は複数の競合自由時間スロットに分割しかつ装置に競合自由時間スロットを割り当てることによって制御通信を受信しかつ送信するためのスケジュールを決定するように構成された処理システムと、
１つ又は複数の装置に対して前記スケジュールを送信するように構成された送信機と、
少なくとも１つのアンテナと、
前記少なくとも１つのアンテナを経由して前記競合自由時間スロット中に前記装置から制御通信を受信するように構成された受信機と、を備え、前記制御通信はビーム方向の指示を備える、アクセス・ポイント。
【請求項３９】
通信の方法であって、
第１の装置によって第２の装置から、アクセス期間中の第１の競合自由時間スロットの指示を備える割り当て通信を受信することと、
前記第１の装置によって前記第１の競合自由時間スロット中に前記第２の装置に対して第１の制御通信を送信することと、を備え、
前記第１の制御通信はビーム方向の指示を備える、方法。
【請求項４０】
前記第１の制御通信が、チャネル時間要求をさらに備える、請求項３９の方法。
【請求項４１】
前記割り当て通信は、第２の競合自由時間スロットの指示をさらに備え、前記第１の装置によって前記第２の競合自由時間スロット中に前記指示されたビーム方向で前記第２の装置から第２の制御通信を受信することをさらに備え、前記第２の制御通信はチャネル時間グラントを備える、請求項３９の方法。
【請求項４２】
前記指示されたビーム方向は、前記第１の装置の好ましいビーム方向である、請求項４１の方法。
【請求項４３】
前記指示されたビーム方向は、複数のビーム方向を備える、請求項４１の方法。
【請求項４４】
前記第２の制御通信は、少なくとも前記第１の装置に関する通信スケジュールをさらに備える、請求項４１の方法。
【請求項４５】
前記割り当て通信は、ビーコン信号を備える、請求項３９の方法。
【請求項４６】
前記第１の制御通信は、複数のビーム方向を経由して送信される、請求項３９の方法。
【請求項４７】
通信のための第１の装置であって、
アクセス期間中の第１の競合自由時間スロットの指示を備える第２の装置から割り当て通信を受信するように構成された受信機と、
前記第１の競合自由時間スロット中に前記第２の装置に対して第１の制御通信を送信するように構成された送信機と、を備え、
前記第１の制御通信はビーム方向の指示を備える、第１の装置。
【請求項４８】
前記第１の制御通信が、チャネル時間要求をさらに備える、請求項４７の第１の装置。
【請求項４９】
前記割り当て通信は、第２の競合自由時間スロットの指示をさらに備え、前記受信機は前記第２の競合自由時間スロット中に前記指示されたビーム方向で前記第２の装置から第２の制御通信を受信するように構成され、前記第２の制御通信はチャネル時間グラントを備える、請求項４７の第１の装置。
【請求項５０】
前記指示されたビーム方向は、前記第１の装置の好ましいビーム方向である、請求項４９の第１の装置。
【請求項５１】
前記指示されたビーム方向は、複数のビーム方向を備える、請求項４９の第１の装置。
【請求項５２】
前記第２の制御通信は、少なくとも前記第１の装置の通信スケジュールをさらに備える、請求項４９の第１の装置。
【請求項５３】
前記割り当て通信は、ビーコン信号を備える、請求項４７の第１の装置。
【請求項５４】
前記第１の制御通信は、複数のビーム方向を経由して送信される、請求項４７の第１の装置。
【請求項５５】
通信のための第１の装置であって、
アクセス期間中の第１の競合自由時間スロットの指示を備える第２の装置から割り当て通信を受信するための手段と、
前記第１の競合自由時間スロット中に前記第２の装置に対して第１の制御通信を送信するための手段と、を備え、
前記第１の制御通信はビーム方向の指示を備える、第１の装置。
【請求項５６】
前記第１の制御通信が、チャネル時間要求をさらに備える、請求項５５の第１の装置。
【請求項５７】
前記割り当て通信は、第２の競合自由時間スロットの指示をさらに備え、前記受信するための手段は前記第２の競合自由時間スロット中に前記指示されたビーム方向で前記第２の装置から第２の制御通信を受信するように構成され、前記第２の制御通信はチャネル時間グラントを備える、請求項５５の第１の装置。
【請求項５８】
前記指示されたビーム方向は、前記第１の装置の好ましいビーム方向である、請求項５７の第１の装置。
【請求項５９】
前記指示されたビーム方向は、複数のビーム方向を備える、請求項５７の第１の装置。
【請求項６０】
前記第２の制御通信は、少なくとも前記第１の装置の通信スケジュールをさらに備える、請求項５７の第１の装置。
【請求項６１】
前記割り当て通信は、ビーコン信号を備える、請求項５５の第１の装置。
【請求項６２】
前記第１の制御通信は、複数のビーム方向を経由して送信される、請求項５５の第１の装置。
【請求項６３】
実行されたときに第１の装置が、
第２の装置からアクセス期間中の第１の競合自由時間スロットの指示を備える割り当て通信を受信し、
前記第１の競合自由時間スロット中に前記第２の装置に対して第１の制御通信を送信するようにさせる命令を備えるコンピュータ可読媒体を備え、
前記第１の制御通信はビーム方向の指示を備える、通信のためのコンピュータ・プログラム製品。
【請求項６４】
少なくとも１つのアンテナと、
前記少なくとも１つのアンテナを経由してアクセス期間中の第１の競合自由時間スロットの指示を備える割り当て通信を受信するように構成された受信機と、
前記少なくとも１つのアンテナを経由して前記第１の競合自由時間スロット中に装置に対して制御通信を送信するように構成された送信機と、を備え、
前記制御通信はビーム方向の指示を備える、携帯電話。
【手続補正２】
【補正対象書類名】明細書
【補正対象項目名】００６４
【補正方法】変更
【補正の内容】
【００６４】
いくつかの態様では、ここに記載された１つ又は複数の機能は、１つ又は複数の機能を実行するように構成された回路においてインプリメントされる。同様に、上で記述された手段は、手段の機能性をインプリメントするように構成された１つ又は複数の回路を備えることができる。例えば、図９は、割り当てるための回路９０４と送信するための回路９１０とを備える無線ノード９０２のある態様を示す。割り当てるための回路９０４は、装置に対して競合自由時間期間を割り当てるように構成することができる。送信するための回路９１０は、割り当てられた時間期間中に、装置に対して制御通信を送信するように構成することができて、制御通信はチャネル時間要求又はチャネル時間グラントを備える。図９で示された無線ノード９０２の態様は、送信するための回路９１０に接続され、図２に関して上で記述された、アンテナ９１６も備える。いくつかの態様では、アンテナ９１６は省略される。いくつかの態様では、図２に示した１つ又は複数のコンポーネントは、図９に示した無線ノード９０２の態様に組み込むことができる。
【手続補正３】
【補正対象書類名】明細書
【補正対象項目名】００６５
【補正方法】変更
【補正の内容】
【００６５】
他の例として、図１０は、受信するための回路１０１２と送信するための回路１０１０とを備える無線ノード１００２のある態様を示す。受信するための回路１０１２は、割り当てられた時間期間の指示を備える割り当て通信を受信するように構成されることができる。送信するための回路１０１０は、割り当てられた時間期間中に、装置に対して制御通信を送信するように構成されることができて、制御通信はチャネル時間要求を備える。図１０に示された無線ノード１０１０の態様は、受信するための回路１０１２及び送信するための回路１０１０に接続され、図２に関して上で記述された、アンテナ１０１６も備える。いくつかの態様では、アンテナ１０１６は省略される。いくつかの態様では、図２に示した１つ又は複数のコンポーネントは、図１０に示した無線ノード１００２の態様に組み込むことができる。
【国際調査報告】
2013519308.tif 000016
2013519308.tif 000017
2013519308.tif 000018